(57)【要約】      （修正有）【課題】電極構造を改善した太陽電池及びこれを含む太陽電池パネルを提供する。【解決手段】太陽電池１５０は、半導体基板１６０と、半導体基板１６０上に位置する導電型領域と、導電型領域に電気的に接続する電極４２とを備えてなり、電極４２は、複数のフィンガーライン４２ａ及びフィンガーライン４２ａに電気的に接続されるバスバー４２ｂを含む。バスバー４２ｂは、複数のパッド部４２２を含み、複数のパッド部４２２の配置及び面積のうち、少なくとも一つが異なる複数の領域４２４，４２６を含む。【選択図】図５
2018056563.tif 000002
【特許請求の範囲】
【請求項１】
太陽電池であって、
半導体基板と、
前記半導体基板に又は前記半導体基板上に位置する導電型領域と、
前記導電型領域に電気的に接続する電極とを備えてなるものであり、
前記電極は、第１方向に形成され互いに平行な複数のフィンガーライン及び前記フィンガーラインに電気的に接続され前記第１方向と交差する第２方向に位置するバスバーを備えてなり、
前記バスバーは、前記第２方向に位置する複数のパッド部を備えてなり、
前記バスバーは、前記第２方向において、前記複数のパッド部の配置及び前記複数のパッド部の面積からなる群から選択される少なくとも一つが異なる複数の領域を備えてなるものである、太陽電池。
【請求項２】
前記複数のパッド部は、前記バスバーの外側に位置する外側パッド及び前記外側パッド以外の複数の内側パッドを備えてなり、
前記バスバーは、前記第２方向に位置する第１領域及び第２領域を備えてなり、
前記複数の内側パッドが前記第１領域内に位置する第１パッド及び前記第２領域内に位置する第２パッドを備えてなり、
前記第１領域の前記第１パッドと前記第２領域の前記第２パッドは、個数、互いの間隔、各々の面積、配列形状、並びに前記第１領域及び第２領域の面積に対する前記第１パッド及び前記第２パッドの面積割合からなる群から選択される少なくとも一つが互いに異なるものである、請求項１に記載の太陽電池。
【請求項３】
前記第１領域の面積に対する前記第１パッドの面積割合が、前記第２領域の面積に対する前記第２パッドの面積割合より大きいものである、請求項２に記載の太陽電池。
【請求項４】
前記第１パッド及び前記第２パッドがそれぞれ複数備えられてなり、
前記第１領域において前記複数の第１パッドが第１間隔を隔てて互いに離隔されてなり、
前記第２領域において前記複数の第２パッドが前記第１間隔より大きな第２間隔を隔てて互いに離隔されてなる、請求項２又は３に記載の太陽電池。
【請求項５】
前記第１領域内において前記複数の第１パッドのピッチが前記第２領域内において前記複数の第２パッドのピッチより小さいものであり、
前記第１領域内において前記複数の第１パッド間のピッチが前記第２領域内において前記複数の第２パッド間のピッチと同一であり、
前記複数の第１パッドの大きさが前記複数の第２パッドの大きさより大きいものであり、又は、
前記第２方向で前記第１パッドの長さが前記第２パッドの長さより長いものである、請求項４に記載の太陽電池。
【請求項６】
前記第１領域が前記外側パッドに隣接して位置し、前記第２領域が前記第１領域より前記外側パッドから遠くに位置するものである、請求項３〜５の何れか一項に記載の太陽電池。
【請求項７】
前記第１領域が前記第２領域の両側に位置し、
前記第２領域の両側に位置した前記第１領域が前記第２領域に基づいて互いに対称になるように位置するものである、請求項６に記載の太陽電池。
【請求項８】
前記バスバーは、前記第２方向で前記第１領域及び前記第２領域と共に位置する第３領域をさらに備えてなり、
前記第３領域は、第３パッドを備えてなり、
前記第１領域の面積に対する前記複数の第１パッドの面積割合が前記第２領域の面積に対する前記複数の第２パッドの面積割合より大きいものであり、
前記第３領域の面積に対する前記複数の第３パッドの面積割合が前記第１領域の面積に対する前記複数の第１パッドの面積割合より大きいものであり、
前記第１領域が前記第２方向の中間領域に位置し、前記第３領域が前記外側パッドに隣接したエッジ領域に位置し、前記第２領域が前記第１領域と前記第３領域との間に位置するものである、請求項２〜７の何れか一項に記載の太陽電池。
【請求項９】
前記バスバーは、前記複数のパッド部を前記第２方向に接続するライン部をさらに備えてなり、
前記ライン部が前記第１幅を有するメインライン部及び前記第１幅より大幅を有する広幅部を備えてなるものである、請求項２〜８の何れか一項に記載の太陽電池。
【請求項１０】
前記第１領域に前記広幅部が位置し、
前記第２領域に前記メインライン部が位置する、請求項２〜９の何れか一項に記載の太陽電池。
【請求項１１】
太陽電池であって、
半導体基板と、
前記半導体基板に又は前記半導体基板上に位置する導電型領域と、
前記導電型領域に電気的に接続する電極とを備えてなり、
前記電極は、第１方向に位置し互いに平行な複数のフィンガーライン及び前記フィンガーラインに電気的に接続され前記第１方向と交差する第２方向に位置するバスバーを備えてなり、
前記バスバーは、前記第２方向に延び前記第１幅を有するメインライン部及び前記第１幅より大きい幅を有する広幅部を備えたライン部と、前記ライン部より大きい幅を有してなり、前記第２方向で互いに間隔を隔てて位置する複数のパッド部とを備えてなり、
前記複数のパッド部は、前記バスバーの外側に位置する外側パッド及び前記外側パッド以外の内側パッドを備えてなり、
前記内側パッドが、前記メインライン部及び前記広幅部にそれぞれ少なくとも一つ位置するものである、太陽電池。
【請求項１２】
前記広幅部が前記外側パッドに隣接して位置するものである、請求項１１に記載の太陽電池。
【請求項１３】
前記広幅部の長さが前記メインライン部の長さより短いものである、請求項１１又は１２に記載の太陽電池。
【請求項１４】
前記広幅部の長さが前記外側パッドの長さと同一であるか、又はそれより長いものである、請求項１１〜１３の何れか一項に記載の太陽電池。
【請求項１５】
前記広幅部が全体的に前記第１幅より大きな第２幅を有するものであり、或いは、
前記広幅部が前記メインライン部から前記外側パッドへ向かいながら、幅が漸進的に大きくなり又は幅が段階的に大きくなるものである、請求項１１〜１４の何れか一項に記載の太陽電池。
【請求項１６】
前記バスバーは、前記第２方向に位置する第１領域及び第２領域を備えてなり、
前記複数の内側パッドが前記第１領域内に位置する第１パッド及び前記第２領域内に位置する第２パッドを備えてなり、
前記第１領域の前記第１パッドと前記第２領域の前記第２パッドは、個数、互いの間隔、各々の面積、配列形状、並びに前記第１領域及び前記第２領域の面積に対する前記第１パッド及び前記第２パッドの面積割合からなる群から選択される少なくとも一つが互いに異なるものである、請求項１１〜１５の何れか一項に記載の太陽電池。
【請求項１７】
前記第１領域の面積に対する前記第１パッドの面積割合が前記第２領域の面積に対する前記第２パッドの面積割合より大きいものであり、
前記第１領域に前記広幅部が位置し、前記第２領域に前記メインライン部が位置するものである、請求項１６に記載の太陽電池。
【請求項１８】
前記第１領域が前記外側パッドに隣接して位置し、前記第２領域が前記第１領域より前記外側パッドから遠く位置するものである、請求項１６又は１７に記載の太陽電池。
【請求項１９】
少なくとも隣接して位置する第１太陽電池及び第２太陽電池を備えた複数の太陽電池と、
前記第１太陽電池と前記第２太陽電池とを接続しラウンド状の部分を備えた複数の配線材とを備えてなり、
前記複数の太陽電池の各々は、半導体基板と、前記半導体基板に又は前記半導体基板上に位置する導電型領域と、及び前記導電型領域に電気的に接続する電極とを備えてなり、
前記電極は、第１方向に位置し互いに平行な複数のフィンガーライン、及び前記フィンガーラインに電気的に接続されてなり、前記第１方向と交差する第２方向に位置するバスバーを備えてなり、
前記バスバーは、前記第２方向に伸びるライン部と、前記ライン部より大きい幅を有し互いに間隔を隔てて位置する複数のパッド部とを備えてなり、
前記バスバーは、前記第２方向で、前記複数のパッド部の配置及び前記複数のパッド部の少なくとも一つが異なる複数の領域を備えてなり、又は
前記ライン部が前記第１幅を有するメインライン部及び前記第１幅より大幅を有する広幅部を備えてなり、
前記パッド部が前記メインライン部及び前記広幅部にそれぞれ少なくとも一つ位置するものである、太陽電池パネル。
【請求項２０】
前記太陽電池の一面に基づいて前記第１方向で前記複数の配線材の数が６個〜３３個であり、
前記複数の配線材の幅の各々が２５０μｍ〜５００μｍであり、
前記ライン部の幅が前記配線材の幅と同一であり、又はそれより小さいものであり、或いは、
前記複数のパッド部の各々の幅が前記複数の配線材の幅と同一であり、又はそれより大きいものである、請求項１９に記載の太陽電池パネル。
【発明の詳細な説明】
【技術分野】
【０００１】
本発明は、太陽電池及びこれを含む太陽電池パネルに関し、さらに詳細には、電極構造を改善した太陽電池及びこれを含む太陽電池パネルに関する。
【０００２】
〔関連出願〕
本願は、韓国特許出願１０−２０１６−０１２４２３６号、韓国特許出願１０−２０１６−０１２６０００号及び韓国特許出願１０−２０１６−０１２８１０３号のパリ条約優先権を伴う特許出願である。
【背景技術】
【０００３】
最近、石油や石炭のような従来のエネルギー資源の枯渇が予想されながら、これらにかわりうる代替エネルギーに対する関心が高まっている。そのうち、太陽電池は、太陽光エネルギーを電気エネルギーに変換させる次世代電池として脚光を浴びている。
【０００４】
このような太陽電池は、複数のリボンによって直列または並列に接続され、複数の太陽電池を保護するためのパッケージング（ｐａｃｋａｇｉｎｇ）工程によって、太陽電池パネルの形態で製造される。太陽電池パネルは、多様な環境で長期間発展しなければならないので、長期間信頼性が大きく求められる。
【０００５】
ところが、1．５ｍｍ程度の大幅を有するリボンを使用して太陽電池を接続するようになると、リボンの大幅によって光損失などが発生できるので、太陽電池に配置されるリボンの数を減らさなければならない。これに対し、キャリアの移動距離を減らすために、リボンの数を増加させると、抵抗は低くなるが、シェーディング損失によって出力が大きく低下できる。このため、リボンより小さな幅を有する配線材をリボンの代わりに使用することができるが、特定領域で配線材の付着特性が低下する等の問題が発生できる。このように特定領域において配線材の付着特性が低下すると、太陽電池パネルの出力及び信頼性が低下できる。
【発明の概要】
【発明が解決しようとする課題】
【０００６】
本発明の目的は、太陽電池パネルの出力及び信頼性を向上できる太陽電池、及びこれを含む太陽電池パネルを提供することにある。
【課題を解決するための手段】
【０００７】
本発明の一実施の形態にかかる太陽電池は、半導体基板と、前記半導体基板にまたは前記半導体基板上に位置する導電型領域と、前記導電型領域に電気的に接続する電極とを含み、前記電極は、第１方向に形成され互いに平行な複数のフィンガーライン及び前記フィンガーラインに電気的に接続され前記第１方向と交差する第２方向に位置するバスバーを含む。前記バスバーは、前記第２方向に位置する複数のパッド部を含む。前記バスバーは、前記第２方向において前記複数のパッド部の配置及び面積のうち、少なくとも一つが異なる複数の領域を含む。
【０００８】
本発明の他の一実施の形態にかかる太陽電池は、半導体基板と、前記半導体基板にまたは前記半導体基板上に位置する導電型領域と、前記導電型領域に電気的に接続する電極とを含む。前記電極は、第１方向に位置し互いに平行な複数のフィンガーライン及び前記フィンガーラインに電気的に接続され前記第１方向と交差する第２方向に位置するバスバーを含む。前記バスバーは、前記第２方向に延び前記第１幅を有するメインライン部及び前記第１幅より大幅を有する広幅部を含むライン部と、前記ライン部より大幅を有し前記第２方向で互いに間隔を隔てて位置する複数のパッド部とを含む。
【０００９】
前記複数のパッド部は、前記バスバーの外側に位置する外側パッド及び前記外側パッド以外の内側パッドを含み、前記内側パッドが、前記メインライン部及び前記広幅部にそれぞれ少なくとも一つ位置する。
【００１０】
本発明の他の一実施の形態にかかる太陽電池パネルは、少なくとも隣接して位置する第１及び第２太陽電池を含む複数の太陽電池と、前記第１太陽電池と前記第２太陽電池とを接続しラウンド状の部分を含む複数の配線材とを含む。前記複数の太陽電池の各々は、半導体基板と、前記半導体基板にまたは前記半導体基板上に位置する導電型領域、及び前記導電型領域に電気的に接続する電極を含む。前記電極は、第１方向に位置し互いに平行な複数のフィンガーライン、及び前記フィンガーラインに電気的に接続され、前記第１方向と交差する第２方向に位置するバスバーを含む。前記バスバーは、前記第２方向に伸びるライン部と、前記ライン部より大幅を有し互いに間隔を隔てて位置する複数のパッド部を含む。前記バスバーは、前記第２方向で前記複数のパッド部の配置及び面積のうち、少なくとも一つが異なる複数の領域を含むか、または前記ライン部が前記第１幅を有するメインライン部及び前記第１幅より大幅を有する広幅部を含み、前記パッド部が前記メインライン部及び前記広幅部にそれぞれ少なくとも一つ位置する。
【発明の効果】
【００１１】
本発明の一実施の形態にかかる太陽電池及びこれを含む太陽電池パネルでは、薄い幅のバスバー及び／またはワイヤー形態の配線材を使用して光損失を最小化でき、バスバー及び／または配線材の数を増やして、キャリアの移動経路を減らすことができる。これによって、太陽電池の効率及び太陽電池パネルの出力を向上できる。
【００１２】
本発明の実施の形態によれば、バスバーが内側パッドの配置及び面積のうち、少なくとも一つが異なる領域を具備して、配線材の付着特性が低下できる領域において付着特性を向上できる。これによって、配線材の変形または剥離を防止または最小化できる。これによって、上述の太陽電池を含む太陽電池パネルの出力及び信頼性を向上できる。このとき、外側パッドに隣接した部分のライン部に広幅を有する広幅部を形成して、外側パッドに隣接した部分から発生できる配線材の付着特性の低下を補償できる。これによって、全体的に配線材が均一で、優れた付着特性を有することができるので、上述の太陽電池を含む太陽電池パネルの出力及び信頼性を向上できる。
【００１３】
本発明の他の実施の形態によれば、太陽電池の両側面において互いに対応または隣接した位置に位置する第１及び第２外側パッドの位置を互いに異なるようにして、配線材との境界部を分散させることによって、熱ストレスを低減及び分散できる。特に、本実施の形態のように、狭い幅の配線材が多く使用される構造では、熱ストレスを低減及び分散する効果をさらに倍加できる。これによって、太陽電池のひび割れを防止し、太陽電池パネルの信頼性を向上できる。
【図面の簡単な説明】
【００１４】
【図１】本発明の実施の形態にかかる太陽電池パネルを示す斜視図である。
【図２】図１のＩＩ-ＩＩ線に沿って切り取った断面図である。
【図３】図１の太陽電池パネルに含まれる太陽電池及びこれに接続した配線材の一例を示す部分断面図である。
【図４】図１に示す太陽電池パネルに含まれ、配線材によって接続する第１太陽電池と第２太陽電池を概略的に示す斜視図である。
【図５】図４に示す太陽電池の前面平面図である。
【図６】図５のＡ部分に配線材が付着された状態を示す部分平面図である。
【図７】図３に示す太陽電池と配線材を付着する付着工程を簡略に示す平面図である。
【図８】本発明の一変形例にかかる太陽電池を示す部分平面図である。
【図９】本発明の他の変形例にかかる太陽電池を示す部分平面図である。
【図１０】本発明の他の実施の形態にかかる太陽電池を示す部分平面図である。
【図１１】本発明のさらに他の実施の形態にかかる太陽電池を示す部分平面図である。
【図１２】本発明のさらに他の実施の形態にかかる太陽電池を示す部分平面図である。
【図１３】本発明のさらに他の変形例にかかる太陽電池を示す前面平面図である。
【図１４】図１３のＢ部分を拡大して示す部分平面図である。
【図１５】本発明のさらに他の実施の形態にかかる太陽電池の前面平面図である。
【図１６】図１５のＣ部分に配線材が付着された状態を示す部分平面図である。
【図１７】本発明のさらに他の変形例にかかる太陽電池を示す部分平面図である。
【図１８】本発明のさらに他の実施の形態にかかる太陽電池を示す部分平面図である。
【図１９】本発明のさらに他の実施の形態にかかる太陽電池を示す部分平面図である。
【図２０】本発明のさらに他の実施の形態にかかる太陽電池を示す部分平面図である。
【図２１】本発明のさらに他の実施の形態にかかる太陽電池の前面平面図である。
【図２２】図２２の（ａ）のＤ部分に配線材が付着された状態を示す部分前面平面図で、図２２の（ｂ）は、図２１のＤ部分に配線材が付着された状態を示す部分後面平面図である。
【図２３】図２１のＸ-Ｘ線に沿った太陽電池の断面図である。
【図２４】本発明のさらに他の実施の形態にかかる太陽電池を示す概略的な断面図である。
【図２５】本発明のさらに他の実施の形態にかかる太陽電池を示す概略的な断面図である。
【図２６】本発明のさらに他の実施の形態にかかる太陽電池を示す概略的な断面図である。
【図２７】本発明のさらに他の実施の形態にかかる太陽電池を示す概略的な断面図である。
【図２８】本発明のさらに他の実施の形態にかかる太陽電池の前面平面図である。
【図２９】第１の実施の形態及び第２の実施の形態にかかる太陽電池パネルに温度循環試験を行った後に、電力降下（ｐｏｗｅｒ  ｄｒｏｐ）率を測定した結果を示すグラフである。
【発明を実施するための形態】
【００１５】
〔発明の態様〕
本発明の態様の一例は以下の通りである。
〔１〕  太陽電池であって、
半導体基板と、
前記半導体基板に又は前記半導体基板上に位置する導電型領域と、
前記導電型領域に電気的に接続する電極とを備えてなるものであり、
前記電極は、第１方向に形成され互いに平行な複数のフィンガーライン及び前記フィンガーラインに電気的に接続され前記第１方向と交差する第２方向に位置するバスバーを備えてなり、
前記バスバーは、前記第２方向に位置する複数のパッド部を備えてなり、
前記バスバーは、前記第２方向において、前記複数のパッド部の配置及び前記複数のパッド部の面積からなる群から選択される少なくとも一つが異なる複数の領域を備えてなるものである、太陽電池。
〔２〕  前記複数のパッド部は、前記バスバーの外側に位置する外側パッド及び前記外側パッド以外の複数の内側パッドを備えてなり、
前記バスバーは、前記第２方向に位置する第１領域及び第２領域を備えてなり、
前記複数の内側パッドが前記第１領域内に位置する第１パッド及び前記第２領域内に位置する第２パッドを備えてなり、
前記第１領域の前記第１パッドと前記第２領域の前記第２パッドは、個数、互いの間隔、各々の面積、配列形状、並びに前記第１領域及び第２領域の面積に対する前記第１パッド及び前記第２パッドの面積割合からなる群から選択される少なくとも一つが互いに異なるものである、〔１〕に記載の太陽電池。
〔３〕  前記第１領域の面積に対する前記第１パッドの面積割合が、前記第２領域の面積に対する前記第２パッドの面積割合より大きいものである、〔２〕に記載の太陽電池。
〔４〕  前記第１パッド及び前記第２パッドがそれぞれ複数備えられてなり、
前記第１領域において前記複数の第１パッドが第１間隔を隔てて互いに離隔されてなり、
前記第２領域において前記複数の第２パッドが前記第１間隔より大きな第２間隔を隔てて互いに離隔されてなる、〔２〕又は〔３〕に記載の太陽電池。
〔５〕  前記第１領域内において前記複数の第１パッドのピッチが前記第２領域内において前記複数の第２パッドのピッチより小さいものであり、
前記第１領域内において前記複数の第１パッド間のピッチが前記第２領域内において前記複数の第２パッド間のピッチと同一であり、
前記複数の第１パッドの大きさが前記複数の第２パッドの大きさより大きいものであり、又は、
前記第２方向で前記第１パッドの長さが前記第２パッドの長さより長いものである、〔４〕に記載の太陽電池。
〔６〕  前記第１領域が前記外側パッドに隣接して位置し、前記第２領域が前記第１領域より前記外側パッドから遠くに位置するものである、〔３〕〜〔５〕の何れか一項に記載の太陽電池。
〔７〕  前記第１領域が前記第２領域の両側に位置し、
前記第２領域の両側に位置した前記第１領域が前記第２領域に基づいて互いに対称になるように位置するものである、〔６〕に記載の太陽電池。
〔８〕  前記バスバーは、前記第２方向で前記第１領域及び前記第２領域と共に位置する第３領域をさらに備えてなり、
前記第３領域は、第３パッドを備えてなり、
前記第１領域の面積に対する前記複数の第１パッドの面積割合が前記第２領域の面積に対する前記複数の第２パッドの面積割合より大きいものであり、
前記第３領域の面積に対する前記複数の第３パッドの面積割合が前記第１領域の面積に対する前記複数の第１パッドの面積割合より大きいものであり、
前記第１領域が前記第２方向の中間領域に位置し、前記第３領域が前記外側パッドに隣接したエッジ領域に位置し、前記第２領域が前記第１領域と前記第３領域との間に位置するものである、〔２〕〜〔７〕の何れか一項に記載の太陽電池。
〔９〕  前記バスバーは、前記複数のパッド部を前記第２方向に接続するライン部をさらに備えてなり、
前記ライン部が前記第１幅を有するメインライン部及び前記第１幅より大幅を有する広幅部を備えてなるものである、〔２〕〜〔８〕の何れか一項に記載の太陽電池。
〔１０〕  前記第１領域に前記広幅部が位置し、
前記第２領域に前記メインライン部が位置する、〔２〕〜〔９〕の何れか一項に記載の太陽電池。
〔１１〕  太陽電池であって、
半導体基板と、
前記半導体基板に又は前記半導体基板上に位置する導電型領域と、
前記導電型領域に電気的に接続する電極とを備えてなり、
前記電極は、第１方向に位置し互いに平行な複数のフィンガーライン及び前記フィンガーラインに電気的に接続され前記第１方向と交差する第２方向に位置するバスバーを備えてなり、
前記バスバーは、前記第２方向に延び前記第１幅を有するメインライン部及び前記第１幅より大きい幅を有する広幅部を備えたライン部と、前記ライン部より大きい幅を有してなり、前記第２方向で互いに間隔を隔てて位置する複数のパッド部とを備えてなり、
前記複数のパッド部は、前記バスバーの外側に位置する外側パッド及び前記外側パッド以外の内側パッドを備えてなり、
前記内側パッドが、前記メインライン部及び前記広幅部にそれぞれ少なくとも一つ位置するものである、太陽電池。
〔１２〕  前記広幅部が前記外側パッドに隣接して位置するものである、〔１１〕に記載の太陽電池。
〔１３〕  前記広幅部の長さが前記メインライン部の長さより短いものである、〔１１〕又は〔１２〕に記載の太陽電池。
〔１４〕  前記広幅部の長さが前記外側パッドの長さと同一であるか、又はそれより長いものである、〔１１〕〜〔１３〕の何れか一項に記載の太陽電池。
〔１５〕  前記広幅部が全体的に前記第１幅より大きな第２幅を有するものであり、或いは、
前記広幅部が前記メインライン部から前記外側パッドへ向かいながら、幅が漸進的に大きくなり又は幅が段階的に大きくなるものである、〔１１〕〜〔１４〕の何れか一項に記載の太陽電池。
〔１６〕  前記バスバーは、前記第２方向に位置する第１領域及び第２領域を備えてなり、
前記複数の内側パッドが前記第１領域内に位置する第１パッド及び前記第２領域内に位置する第２パッドを備えてなり、
前記第１領域の前記第１パッドと前記第２領域の前記第２パッドは、個数、互いの間隔、各々の面積、配列形状、並びに前記第１領域及び前記第２領域の面積に対する前記第１パッド及び前記第２パッドの面積割合からなる群から選択される少なくとも一つが互いに異なるものである、〔１１〕〜〔１５〕の何れか一項に記載の太陽電池。
〔１７〕  前記第１領域の面積に対する前記第１パッドの面積割合が前記第２領域の面積に対する前記第２パッドの面積割合より大きいものであり、
前記第１領域に前記広幅部が位置し、前記第２領域に前記メインライン部が位置するものである、〔１６〕に記載の太陽電池。
〔１８〕  前記第１領域が前記外側パッドに隣接して位置し、前記第２領域が前記第１領域より前記外側パッドから遠く位置するものである、〔１６〕又は〔１７〕に記載の太陽電池。
〔１９〕  少なくとも隣接して位置する第１太陽電池及び第２太陽電池を備えた複数の太陽電池と、
前記第１太陽電池と前記第２太陽電池とを接続しラウンド状の部分を備えた複数の配線材とを備えてなり、
前記複数の太陽電池の各々は、半導体基板と、前記半導体基板に又は前記半導体基板上に位置する導電型領域と、及び前記導電型領域に電気的に接続する電極とを備えてなり、
前記電極は、第１方向に位置し互いに平行な複数のフィンガーライン、及び前記フィンガーラインに電気的に接続されてなり、前記第１方向と交差する第２方向に位置するバスバーを備えてなり、
前記バスバーは、前記第２方向に伸びるライン部と、前記ライン部より大きい幅を有し互いに間隔を隔てて位置する複数のパッド部とを備えてなり、
前記バスバーは、前記第２方向で、前記複数のパッド部の配置及び前記複数のパッド部の少なくとも一つが異なる複数の領域を備えてなり、又は
前記ライン部が前記第１幅を有するメインライン部及び前記第１幅より大幅を有する広幅部を備えてなり、
前記パッド部が前記メインライン部及び前記広幅部にそれぞれ少なくとも一つ位置するものである、太陽電池パネル。
〔２０〕  前記太陽電池の一面に基づいて前記第１方向で前記複数の配線材の数が６個〜３３個であり、
前記複数の配線材の幅の各々が２５０μｍ〜５００μｍであり、
前記ライン部の幅が前記配線材の幅と同一であり、又はそれより小さいものであり、或いは、
前記複数のパッド部の各々の幅が前記複数の配線材の幅と同一であり、又はそれより大きいものである、〔１９〕に記載の太陽電池パネル。
【００１６】
〔詳細な説明〕
以下、添付した図面を参照して、本発明の実施の形態を詳しく説明する。しかしながら、本発明がこのような実施の形態に限定されるものではなく、多様な形態で変形されうることはもちろんである。
【００１７】
図面では、本発明を明確かつ簡略に説明するために、説明と関係のない部分の図示を省略し、明細書全体を通じて同一またはきわめて類似の部分に対しては、同じ図面参照符号を使用する。そして、図面では、説明をさらに明確にするために、厚さ、広さなどを拡大または縮小して示したが、本発明の厚さ、広さなどは、図面に示したことに限定されない。
【００１８】
また、明細書全体においてある部分が他の部分を「含む」とするとき、特に反対の記載がない限り、他の部分を排除するのでなく、他の部分をさらに含むことができる。また、層、膜、領域、板などの部分が他の部分「上に」あるとするとき、これは、他の部分の「真上に」ある場合のみでなく、その中間に他の部分が位置する場合も含む。層、膜、領域、板などの部分が他の部分の「真上に」あるとするときには、中間に他の部分が位置しないことを意味する。
【００１９】
以下、添付した図面を参照して、本発明の実施の形態にかかる太陽電池及び太陽電池パネルを詳しく説明する。以下の「第１」、「第２」、「第３」などの表現は、互い区別するために使用したことに過ぎず、本発明がこれに限定されるものではない。
【００２０】
図１は、本発明の実施の形態にかかる太陽電池パネルを示す斜視図で、図２は、図１のＩＩ-ＩＩ線に沿って切り取った断面図である。
【００２１】
図１及び図２に示すように、本実施の形態にかかる太陽電池パネル１００は、複数の太陽電池１５０と、複数の太陽電池１５０を電気的に接続する配線材１４２とを含む。そして、太陽電池パネル１００は、複数の太陽電池１５０とこれを接続する配線材１４２を取り囲んで密封する密封材１３０と、密封材１３０上において太陽電池１５０の前面に位置する前面基板１１０と、密封材１３０上において太陽電池１５０の後面に位置する後面基板１２０とを含む。これをさらに詳しく説明する。
【００２２】
まず、太陽電池１５０は、太陽エネルギーを電気エネルギーに変換する光電変換部と、光電変換部に電気的に接続されて電流を収集して伝達する電極とを含むことができる。そして、複数の太陽電池１５０は、配線材１４２によって電気的に直列、並列または直並列に接続されることができる。具体的に、配線材１４２は、複数の太陽電池１５０のうち、隣接した二つの太陽電池１５０を電気的に接続する。
【００２３】
また、バスリボン１４５は、配線材１４２によって接続されて一つの列を形成する太陽電池１５０（すなわち、太陽電池ストリング）の配線材１４２の両終端を交互に接続する。バスリボン１４５は、太陽電池ストリングの端部においてこれと交差する方向に配置されることができる。このようなバスリボン１４５は、互いに隣接する太陽電池ストリングを接続するか、または太陽電池ストリングもしくは太陽電池ストリングを電流の逆流を防止するジャンクションボックス（図示せず）に接続できる。バスリボン１４５の物質、形状、接続構造などは、多様に変形されることができ、本発明がこれに限定されるものではない。
【００２４】
密封材１３０は、配線材１４２によって接続した太陽電池１５０の前面に位置する第１密封材１３１と、太陽電池１５０の後面に位置する第２密封材１３２とを含むことができる。第１密封材１３１と第２密封材１３２は、水分と酸素の流入を防止し、太陽電池パネル１００の各要素を化学的に結合する。第１及び第２密封材１３１、１３２は、透光性及び接着性を有する絶縁物質から構成されることができる。一例として、第１密封材１３１と第２密封材１３２にエチレン酢酸ビニル共重合体樹脂（ＥＶＡ）、ポリビニルブチラール、ケイ素樹脂、エステル系樹脂、オレフィン系樹脂などが使用されることができる。第１及び第２密封材１３１、１３２を利用したラミネーション工程などによって、後面基板１２０、第２密封材１３２、太陽電池１５０、第１密封材１３１、前面基板１１０が一体化して、太陽電池パネル１００を構成できる。
【００２５】
前面基板１１０は、第１密封材１３１上に位置して太陽電池パネル１００の前面を構成し、後面基板１２０は、第２密封材１３２上に位置して、太陽電池１５０の後面を構成する。前面基板１１０及び後面基板１２０は、それぞれ外部の衝撃、湿気、紫外線などから太陽電池１５０を保護することができる絶縁物質から構成されることができる。そして、前面基板１１０は、光が透過できる透光性物質から構成され、後面基板１２０は、透光性物質、非透光性物質、または反射物質などからなるシートから構成されることができる。一例として、前面基板１１０がガラス基板などから構成されることができ、後面基板１２０がフィルムまたはシートなどから構成されることができる。後面基板１２０は、ＴＰＴ（Ｔｅｄｌａｒ／ＰＥＴ／Ｔｅｄｌａｒ）タイプを有するか、またはベースフィルム（例えば、ポリエチレンテレフタレート（ＰＥＴ））の少なくとも一面に形成されたポリフッ化ビニリデン（ｐｏｌｙ  ｖｉｎｙｌｉｄｅｎｅ  ｆｌｕｏｒｉｄｅ，ＰＶＤＦ）樹脂層を含むことができる。
【００２６】
しかしながら、本発明がこれに限定されるものではない。したがって、第１及び第２密封材１３１、１３２、前面基板１１０、または後面基板１２０が上述の説明以外の多様な物質を含むことができ、多様な形態を有することができる。例えば、前面基板１１０または後面基板１２０が多様な形態（例えば、基板、フィルム、シート等）または物質を有することができる。
【００２７】
図３を参照して、本発明の実施の形態にかかる太陽電池パネルに含まれる太陽電池及びこれに接続した配線材の一例をさらに詳しく説明する。
【００２８】
図３は、図１の太陽電池パネルに含まれる太陽電池、及びこれに接続した配線材の一例を示す部分断面図である。
【００２９】
図３を参照すると、太陽電池１５０は、半導体基板１６０と、半導体基板１６０にまたは半導体基板１６０上に形成される導電型領域２０、３０と、導電型領域２０、３０に接続する電極４２、４４を含む。導電型領域２０、３０は、第１導電型を有する第１導電型領域２０及び第２導電型を有する第２導電型領域３０を含むことができる。電極４２、４４は、第１導電型領域２０に接続する第１電極４２及び第２導電型領域３０に接続する第２電極４４を含むことができる。その他、第１及び第２パッシベーション膜２２、３２、反射防止膜２４などをさらに含むことができる。
【００３０】
半導体基板１６０は、第１または第２導電型ドーパントを相対的に低いドーピング濃度で含んで、第１または第２導電型を有するベース領域１１０を含むことができる。一例として、ベース領域１１０は、第２導電型を有することができる。ベース領域１１０は、第１または第２導電型ドーパントを含む単一結晶質半導体（例えば、単一単結晶または多結晶半導体、一例として、単結晶または多結晶シリコン、特に単結晶シリコン）から構成されることができる。このように結晶性が高いから欠陥が少ないベース領域１１０または半導体基板１６０を基盤にした太陽電池１５０は、電気的特性に優れている。
【００３１】
また、半導体基板１６０の前面及び後面には、反射を最小化できる反射防止構造が形成されることができる。一例として、反射防止構造としてピラミッドなどの形態の凹凸を有するテクスチャリング（ｔｅｘｔｕｒｉｎｇ）構造を具備できる。半導体基板１６０に形成されたテクスチャリング構造は、半導体の特定の結晶面（例えば、（１１１）面）に沿って形成された外面を有する一定の形状（一例として、ピラミッド形状））を有することができる。このようなテクスチャリングにより半導体基板１６０の前面などに凹凸が形成されて、表面荒さが増加すると、半導体基板１６０の内部に入射される光の反射率を低くして、光損失を最小化できる。しかしながら、本発明がこれに限定されるものではなく、半導体基板１６０の一面だけにテックスリング構造が形成されるか、または半導体基板１６０の前面及び後面にテックスリング構造が形成されなくても良い。
【００３２】
半導体基板１６０の一面（一例として、前面）側には、第１導電型を有する第１導電型領域２０が形成されることができる。そして、半導体基板１６０の後面側には、第２導電型を有する第２導電型領域３０が形成されることができる。このとき、第１及び第２導電型領域２０、３０は、ベース領域１１０と異なる導電型を有するか、またはベース領域１１０と同じ導電型の場合には、ベース領域１１０より高いドーピング濃度を有する。
【００３３】
図面では、第１及び第２導電型領域２０、３０が半導体基板１６０の一部を構成するドーピング領域として構成されたことを一例として提示した。この場合に、第１導電型領域２０が第１導電型ドーパントを含む結晶質半導体（例えば、単結晶または多結晶半導体、一例として、単結晶または多結晶シリコン、特に単結晶シリコン）から構成されることができる。そして、第２導電型領域３０が第２導電型ドーパントを含む結晶質半導体（例えば、単結晶または多結晶半導体、一例として、単結晶または多結晶シリコン、特に単結晶シリコン）から構成されることができる。このように、第１及び第２導電型領域２０、３０が半導体基板１６０の一部を構成すると、ベース領域１１０との接合特性を向上できる。
【００３４】
しかしながら、本発明がこれに限定されるものではなく、第１及び第２導電型領域２０、３０のうち、少なくとも一つが半導体基板１６０の上で半導体基板１６０と別に形成されることができる。この場合に、第１または第２導電型領域２０、３０が半導体基板１６０上に容易に形成されうるように、半導体基板１６０と異なる結晶構造を有する半導体層（例えば、非晶質半導体層、微細結晶半導体層、または多結晶半導体層、一例として、非晶質シリコン層、微細結晶シリコン層または多結晶シリコン層）から構成されることができる。
【００３５】
第１及び第２導電型領域２０、３０のうち、ベース領域１１０と異なる導電型を有する一つの領域は、エミッタ領域の少なくとも一部を構成する。エミッタ領域は、ベース領域１１０とｐｎ接合を形成して、光電変換によってキャリアを生成する。第１及び第２導電型領域２０、３０のうち、ベース領域１１０と同じ導電型を有する残りの一つは、電界（ｓｕｒｆａｃｅ  ｆｉｅｌｄ）領域の少なくとも一部を構成する。電界領域は、半導体基板１６０の表面において再結合によってキャリアが損失するのを防止する電界を形成する。一例として、本実施の形態では、ベース領域１１０が第２導電型を有し、第１導電型領域２０がエミッタ領域を構成し、第２導電型領域３０が後面電界（ｂａｃｋ  ｓｕｒｆａｃｅ  ｆｉｅｌｄ）領域を構成できる。しかしながら、本発明がこれに限定されるものではない。
【００３６】
図面では、第１及び第２導電型領域２０、３０が全体的に形成され、均一なドーピング濃度を有する均一な構造（ｈｏｍｏｇｅｎｅｏｕｓ  ｓｔｒｕｃｔｕｒｅ）を有することを例示した。これによって十分な面積に形成され、簡単な工程によって製造されることができる。しかしながら、本発明がこれに限定されるものではない。したがって、第１導電型領域２０が均一な構造または選択的構造（ｓｅｌｅｃｔｉｖｅ  ｓｔｒｕｃｔｕｒｅ）であっても良く、第２導電型領域３０が均一な構造、選択的構造または局部的構造（ｌｏｃａｌ  ｓｔｒｕｃｔｕｒｅ）であっても良い。選択的構造では、第１または第２導電型領域２０、３０のうち、第１または第２電極４２、４４と隣接した部分において高いドーピング濃度、大きなジャンクション深さ及び低い抵抗を有し、その他の部分において低いドーピング濃度、小さなジャンクション深さ及び高い抵抗を有することができる。そして、局部的構造では、第２導電型領域３０が第２電極４４が位置した部分においてのみ局部的に形成されることができる。
【００３７】
一例として、本実施の形態においてベース領域１１０及び第２導電型領域３０がｎ型を有し、第１導電型領域２０がｐ型を有することができる。すると、ベース領域１１０と第１導電型領域２０とがｐｎ接合をなす。このようなｐｎ接合に光が照射されると、光電効果により生成された電子が半導体基板１６０の後面側に移動して、第２電極４４によって収集され、正孔が半導体基板１６０の前面側に移動して、第１電極４２によって収集される。これによって電気エネルギーが発生する。すると、電子より移動速度の遅い正孔が半導体基板１６０の後面でない前面へ移動して、効率が向上することができる。しかしながら、本発明がこれに限定されるものではなく、ベース領域１１０及び第２導電型領域３０がｐ型を有し第１導電型領域２０がｎ型を有することも可能である。
【００３８】
半導体基板１６０の表面上には、第１及び第２パッシベーション膜２２、３２、反射防止膜２４などの絶縁膜が形成されることができる。さらに具体的には、半導体基板１６０の前面上に、さらに正確には、半導体基板１６０に形成された第１導電型領域２０上に第１パッシベーション膜２２が形成（一例として、接触）され、第１パッシベーション膜２２上に反射防止膜２４が形成（一例として、接触）されることができる。そして、半導体基板１６０の後面上に、さらに正確には、半導体基板１６０に形成された第２導電型領域３０上に第２パッシベーション膜３２が形成（一例として、接触）されることができる。
【００３９】
第１パッシベーション膜２２及び反射防止膜２４は、第１電極４２に対応する部分（さらに正確には、第１開口部１０２の形成された部分）を除いて、実質的に半導体基板１６０の前面全体に形成されることができる。これと同様に、第２パッシベーション膜３２は、第２電極４４に対応する部分（さらに正確には、第２開口部１０４の形成された部分）を除いて、実質的に半導体基板１６０の後面全体に形成されることができる。
【００４０】
第１パッシベーション膜２２または第２パッシベーション膜３２は、半導体基板１６０に接触して形成されて、半導体基板１６０の表面またはバルク内に存在する欠陥を不動化させる。これによって、少数キャリアの再結合サイトを除去して、太陽電池１５０の開放電圧を増加させることができる。反射防止膜２４は、半導体基板１６０の前面に入射される光の反射率を減少させて、ｐｎ接合まで到達する光量を増加させることができる。これにより、太陽電池１５０の短絡電流（Ｉｓｃ）を増加させることができる。
【００４１】
第１パッシベーション膜２２、反射防止膜２４及び第２パッシベーション膜３２は、多様な物質から形成されることができる。一例として、第１パッシベーション膜２２、反射防止膜２４またはパッシベーション膜３２は、シリコン窒化膜、水素を含んだシリコン窒化膜、シリコン酸化膜、シリコン酸化窒化膜、アルミニウム酸化膜、シリコン炭化膜、ＭｇＦ２、ＺｎＳ、ＴｉＯ２及びＣｅＯ２からなる群より選択されたいずれか一つの単一膜または２個以上の膜が組み合わせられた多層膜構造を有することができる。
【００４２】
一例として、本実施の形態において、第１パッシベーション膜２２及び／または反射防止膜２４、第２パッシベーション膜３２は、優れた絶縁特性、パッシベーション特性などを有することができるように、ドーパントなどを具備しなくても良い。しかしながら、本発明がこれに限定されるものではない。
【００４３】
第１電極４２は、第１開口部１０２の少なくとも一部を充填しながら形成されて、第１導電型領域２０に電気的に接続（一例として、接触形成）され、第２電極４４は、第２開口部１０４の少なくとも一部を充填しながら形成され、第２導電型領域３０に電気的に接続（一例として、接触形成）される。第１及び第２電極４２、４４は、多様な導電性物質（一例として、金属）から構成され、多様な形状を有することができる。第１及び第２電極４２、４４の形状については、再度後述する。
【００４４】
本実施の形態では、太陽電池１５０の第１及び第２電極４２、４４が一定のパターンを有し、太陽電池１５０が半導体基板１６０の前面及び後面に光が入射できる両面受光型（ｂｉ-ｆａｃｉａｌ）構造を有する。これによって、太陽電池１５０で用いられる光量を増加させて、太陽電池１５０の効率向上に寄与できる。
【００４５】
しかしながら、本発明がこれに限定されるものではなく、第２電極４４が半導体基板１６０の後面側において全体的に形成される構造を有しても良い。また、第１及び第２導電型領域２０、３０、及び第１及び第２電極４２、４４が半導体基板１６０の一面（一例として、後面）側に共に位置しても良く、第１及び第２導電型領域２０、３０のうち、少なくとも一つが半導体基板１６０の両面にわたって形成されても良い。すなわち、上述の太陽電池１５０は、一例として提示したものに過ぎず、本発明がこれに限定されるものではない。
【００４６】
上述の太陽電池１５０は、第１電極４２または第２電極４４上に位置（一例として、接触）する配線材１４２によって隣接した太陽電池１５０と電気的に接続されるが、これについては、図１ないし図３と共に図４を参照してさらに詳しく説明する。
【００４７】
図４は、図１に示す太陽電池パネル１００に含まれ、配線材１４２によって接続する第１太陽電池１５１と第２太陽電池１５２を概略的に示す斜視図である。図４において第１及び第２太陽電池１５１、１５２は、半導体基板１６０と電極４２、４４を中心に概略的に示した。
【００４８】
図４に示すように、複数の太陽電池１５０のうち、互いに隣接した二つの太陽電池１５０（一例として、第１太陽電池１５１と第２太陽電池１５２）が配線材１４２によって接続されることができる。このとき、配線材１４２は、第１太陽電池１５１の前面に位置した第１電極４２と第１太陽電池１５１の一側（図面の左側下部）に位置する第２太陽電池１５２の後面に位置した第２電極４４とを接続する。そして、他の配線材１４２０ａが第１太陽電池１５１の後面に位置した第２電極４４と第１太陽電池１５１の他の一側（図面の右側上部）に位置する他の太陽電池の前面に位置した第１電極４２とを接続する。また、他の配線材１４２０ｂが第２太陽電池１５２の前面に位置した第１電極４２と第２太陽電池１５２の一側（図面の左側下部）に位置するさらに他の太陽電池の後面に位置した第２電極４４とを接続する。これによって、複数の太陽電池１５０が配線材１４２、１４２０ａ、１４２０ｂによって互いに一つの列をなすように接続されることができる。以下、配線材１４２についての説明は、互いに隣接した二つの太陽電池１５０を接続するすべての配線材１４２、１４２０ａ、１４２０ｂにそれぞれ適用されることができる。
【００４９】
本実施の形態において配線材１４２は、第１太陽電池１５１の前面において第１電極４２（さらに具体的には、第１電極４２のバスバー（図５の参照符号４２ｂ、以下、同一））に接続されながら、第１エッジ１６１からこれに反対になる第２エッジ１６２に向かって長くつながる第１部分と、第２太陽電池１５２の後面において第２電極４４（さらに具体的には、第２電極４４のバスバー）に接続した状態で第１エッジ１６１からこれに反対になる第２エッジ１６２に向かって長くつながる第２部分と、第１太陽電池１５１の第２エッジ１６２の前面から第２太陽電池１５２の後面まで延びて、第１部分と第２部分とを接続する第３部分を含むことができる。これによって、配線材１４２が第１太陽電池１５１の一部領域で第１太陽電池１５１を横切った後に、第２太陽電池１５２の一部領域で第２太陽電池１５２を横切って位置できる。このように、配線材１４２が第１及び第２太陽電池１５１、１５２より小さな幅を有しながら、第１及び第２太陽電池１５１、１５２の一部（一例として、バスバー４２ｂ）に対応する部分においてのみ形成されて、小さな面積によっても第１及び第２太陽電池１５１、１５２を効果的に接続できる。
【００５０】
一例として、配線材１４２は、第１及び第２電極４２、４４においてバスバー４２ｂ上でバスバー４２ｂに接触及び接合しながら、バスバー４２ｂに沿って長くつながるように配置されることができる。これによって、配線材１４２と第１及び第２電極４２、４４とが連続的に接触されるようにして、電気的接続特性を向上できる。各太陽電池１５０の一面を基準とするとき、配線材１４２は、複数備えられて、隣接した太陽電池１５０の電気的接続特性を向上できる。特に、本実施の形態では、配線材１４２が従来に使用されていた相対的に広い幅（例えば、１ｍｍないし２ｍｍ）を有するリボンより小さな幅を有するワイヤーから構成されて、各太陽電池１５０の一面を基準に従来のリボンの数（例えば、２個ないし５個）より多い数の配線材１４２を使用する。
【００５１】
一例として、配線材１４２は、金属からなるコア層１４２ａと、コア層１４２ａの表面に薄い厚さにコーティングされ、ソルダー物質を含んで電極４２、４４とソルダリングが可能なようにするソルダー層１４２ｂを含むことができる。一例として、コア層１４２ａは、Ｎｉ、Ｃｕ、Ａｇ、Ａｌを主な物質（一例として、５０ｗｔ％以上含まれる物質、さらに具体的に９０ｗｔ％以上含まれる物質）として含むことができる。ソルダー層１４２ｂは、Ｐｂ、Ｓｎ、ＳｎＩｎ、ＳｎＢｉ、ＳｎＰｂ、ＳｎＰｂＡｇ、ＳｎＣｕＡｇ、ＳｎＣｕなどの物質を主な物質として含むことができる。しかしながら、本発明がこれに限定されるものではなく、コア層１４２ａ及びソルダー層１４２ｂが多様な物質を含んでも良い。
【００５２】
このように、従来のリボンより小さな幅を有するワイヤーを配線材１４２として使用すると、材料費用を大きく低減できる。そして、配線材１４２がリボンより小さな幅を有するので、配線材１４２を十分な数で具備してキャリアの移動距離を最小化することによって、太陽電池パネル１００の出力を向上できる。
【００５３】
また、本実施の形態にかかる配線材１４２を構成するワイヤーは、ラウンド状の部分を含むことができる。すなわち、配線材１４２を構成するワイヤーが円形、楕円形、または曲線からなる断面またはラウンド状の断面を有することができる。これによって、配線材１４２が反射または乱反射を誘導できる。これによって、配線材１４２を構成するワイヤーのラウンド状の面から反射された光が太陽電池１５０の前面または後面に位置した前面基板１１０または後面基板１２０などに反射または全反射されて、太陽電池１５０に再入射されるようにすることができる。これによって、太陽電池パネル１００の出力を効果的に向上できる。しかしながら、本発明がこれに限定されるものではない。したがって、配線材１４２を構成するワイヤーが四角形などの多角形の形状を有しても良く、その他の多様な形状を有しても良い。
【００５４】
本実施の形態において配線材１４２は、幅（または直径）が１ｍｍ未満（一例として、２５０μｍないし５００μｍ）でありうる。参考として、本実施の形態においてソルダー層１４２ｂの厚さは、非常に薄い方であり、配線材１４２の位置に応じて多様な厚さを有することができるので、配線材１４２の幅は、コア層１４２ａの幅と見なすことができる。または、配線材１４２の幅は、ライン部（図５の参照符号４２１）上で配線材１４２の重心を通る幅と見なすことができる。このような幅を有するワイヤー形態の配線材１４２によって、太陽電池１５０で生成した電流を外部回路（例えば、バスリボンまたはジャンクションボックスのバイパスダイオード）またはさらに他の太陽電池１５０に效率的に伝達できる。本実施の形態では、配線材１４２が別の層、フィルムなどに挿入されない状態で太陽電池１５０の電極４２、４４上にそれぞれ個別的に位置して固定されることができる。配線材１４２の幅が２５０μｍ未満であると、配線材１４２の強度が十分でないこともでき、電極４２、４４の接続面積が極めて少ないから、電気的接続特性がよくなく付着力が低いことができる。配線材１４２の幅が１ｍｍ以上（一例として、５００μｍを超過）であると、配線材１４２の費用が増加し、配線材１４２が太陽電池１５０の前面に入射される光の入射を妨害して、光損失（ｓｈａｄｉｎｇ  ｌｏｓｓ）が増加できる。また、配線材１４２から電極４２、４４と離隔される方向に加えられる力が大きくなって、配線材１４２と電極４２、４４との間の付着力が低くなることができ、電極４２、４４または半導体基板１６０にひび割れなどの問題を発生させることができる。一例として、配線材１４２の幅は、３５０μｍないし４５０μｍ（特に、３５０μｍないし４００μｍ）でありうる。このような範囲において電極４２、４４との付着力を高めながら太陽電池パネル１００の出力を向上できる。
【００５５】
このとき、配線材１４２の数（またはこれに対応するバスバー４２ｂの数）が太陽電池１５０の一面に基づいて６個ないし３３個でありうる。このとき、太陽電池パネル１００の出力をさらに向上するために、配線材１４２の数を１０個以上（一例として、１２個ないし２４個）含むことができる。しかしながら、本発明がこれに限定されるものではなく、配線材１４２の数及びこれに応じるバスバー４２ｂの数が異なる値を有することができる。
【００５６】
図１ないし図４と共に図５を参照して、本発明の実施の形態にかかる配線材１４２が付着される太陽電池１５０の電極４２、４４の一例を詳しく説明する。以下、図５を参照して、第１電極４２に基づいて詳しく説明したが、第１及び第２電極４２、４４のうち、いずれか一つの電極が以下の説明に該当すれば足りる。第１及び第２電極４２、４４のうち、残りの一つの電極は、以下の電極と同一であっても良く、以下の電極と同一または類似の形状を有するものの、大きさ、間隔、ピッチなどが異なっても良く、以下の電極と全く異なる形状を有しても良く。
【００５７】
図５は、図４に示す太陽電池１５０の前面平面図である。
【００５８】
図１ないし図５を参照すると、本実施の形態において第１電極４２は、第１方向（図面の横方向）に延び、互いに平行に位置する複数のフィンガーライン４２ａと、フィンガーライン４２ａと交差（一例として、直交）する第２方向（図面の縦方向）に形成されて、フィンガーライン４２ａに電気的に接続され、配線材１４２が接続または付着されるバスバー４２ｂを含む。図面では、両側エッジ付近で複数のフィンガーライン４２ａの端部を全体的に接続するフレームライン４２ｃがより形成されたことを例示した。フレームライン４２ｃは、フィンガーライン４２ａと同一または類似の幅を有し、フィンガーライン４２ａと同じ物質から構成されることができる。しかしながら、フレームライン４２ｃを具備しないことも可能である。
【００５９】
このとき、本実施の形態において太陽電池１５０（または半導体基板１６０）が電極領域ＥＡとエッジ領域ＰＡに区画されることができる。ここで、電極領域ＥＡは、互いに平行に形成されるフィンガーライン４２ａが均一なピッチＰで配置される領域でありうる。電極領域ＥＡは、配線材１４２によって区画される複数の電極領域ＥＡを含むことができる。そして、エッジ領域ＰＡは、隣接した二つの電極領域ＥＡの間に位置し、複数のパッド部４２２（特に、外側パッド４２４）外側で半導体基板１６０または太陽電池１５０のエッジに隣接して位置する領域でありうる。このとき、エッジ領域ＰＡは、電極領域ＥＡのフィンガーライン４２ａの密度より低い密度で電極部４２ｄ、４２ｅが位置する領域であっても良く、電極部４２ｄ、４２ｅが位置しない領域であっても良い。
【００６０】
電極領域ＥＡは、バスバー４２ｂまたは配線材１４２に基づいて区画される複数の電極領域ＥＡを具備できる。さらに具体的に、電極領域ＥＡは、隣接した二つのバスバー４２ｂまたは配線材１４２の間に位置した第１電極領域ＥＡ１と、配線材１４２と太陽電池１５０のエッジの間にそれぞれ位置した二つの第２電極領域ＥＡ２を含むことができる。
【００６１】
図面では、第１電極領域ＥＡ１の幅が第２電極領域ＥＡ２の幅より小さなことを示した。すると、多くの数の配線材１４２またはバスバー４２ｂが位置する場合に、半導体基板１５０の隅付近（一例として、傾斜部）にバスバー４２ｂまたは配線材１４２が位置しないようにすることができる。これによって、配線材１４２の損傷を最小化し、キャリア移動経路を最適化できる。しかしながら、本発明がこれに限定されるものではない。したがって、第１電極領域ＥＡ１の幅が第２電極領域ＥＡ２の幅と同じであっても良く、またはこれより大きくても良い。その他、多様な変形が可能である。
【００６２】
このとき、エッジ領域ＰＡは、配線材１４２の端部が位置するバスバー４２ｂの一端部に位置する第１エッジ領域ＰＡ１と、他の太陽電池１５０または外部回路と接続するように、配線材１４２が延びるバスバー４２ｂの他端部に位置する第２エッジ領域ＰＡ２を含むことができる。
【００６３】
本実施の形態では、第１エッジ領域ＰＡ１及び第２エッジ領域ＰＡ２に電極部４２ｄ、４２ｅが形成されて、電極部４２ｄ、４２ｅに配線材１４２が重なって接触されるか、または配線材１４２が電気的に接続されることができる。これによって、第１エッジ領域ＰＡ１及び第２エッジ領域ＰＡ２に隣接した電極領域ＥＡの部分から生成された電流を配線材１４２に伝達できる。これによって、配線材１４２の接着力または結合力を向上するために、第１及び第２エッジ領域ＰＡ１、ＰＡ２を備えた場合にも、これによって発生できる効率低下などを防止できる。これによって、太陽電池１５０の効率を向上し、太陽電池パネル１００の出力を向上できる。
【００６４】
ここで、第１エッジ領域ＰＡ１による電極部４２ｄと第２エッジ領域ＰＡ２に位置した電極部４２ｅとが互いに異なる形状を有することができる。さらに具体的に、第１エッジ領域ＰＡ１で電極部４２ｄが、最外郭フィンガーライン４２ａより内側でフィンガーライン４２ａと平行に位置する第１電極部、及び第１電極部から第１電極部と交差（一例として、直交）する方向に最外郭フィンガーラインと同一線上またはこれより外側まで延びる第２電極部を含むことができる。第２エッジ領域ＰＡ２では、電極部４２ｄが、最外郭フィンガーライン４２ａと同一線上またはこれより外側でフィンガーライン４２ａと平行に位置する第３電極部を含むことができる。これによって、第１エッジ領域ＰＡ１に位置した配線材１４２の結合力を向上し、配線材１４２が延びる第２エッジ領域ＰＡ２で簡単な構造で電流の流れを向上できる。これによれば、配線材１４２の配置が異なっても、配線材１４２と電極部４２ｄ、４２ｅを安定的に接続できる。しかしながら、本発明がこれに限定されるものではなく、第１エッジ領域ＰＡ１の電極部４２ｄと第２エッジ領域ＰＡ２の電極部４２ｅとが互いに同一または対称形状を有しても良い。
【００６５】
複数のフィンガーライン４２ａは、均一な幅及びピッチを有しながら互いに離隔されることができる。図面では、フィンガーライン４２ａが第１方向に互いに並べて形成されて、太陽電池１５０のメインエッジ（特に、第１及び第２エッジ１６１、１６２）に平行なことを例示したが、本発明がこれに限定されるものではない。
【００６６】
このとき、配線材１４２の幅は、フィンガーライン４２ａのピッチより小さくても良く、フィンガーライン４２ａの幅より大きくても良い。しかしながら、本発明がこれに限定されるものではなく、多様な変形が可能である。
【００６７】
上述のように、バスバー４２ｂは、隣接した太陽電池１５０との接続のための配線材１４２が位置する部分に対応するように位置できる。このようなバスバー４２ｂは、配線材１４２に一対一に対応するように備えられることができる。これにより、本実施の形態において太陽電池１５０の一面に基づいて、バスバー４２ｂが配線材１４２と同じ数で備えられることができる。
【００６８】
本実施の形態において、バスバー４２ｂは、各配線材１４２に対応するように第２方向に位置する複数のパッド部４２２を含む。そして、バスバー４２ｂは、配線材１４２が接続する方向に沿ってパッド部４２２より狭い幅を有しながら、パッド部４２２の間から長くつながるライン部４２１をさらに含むことができる。
【００６９】
パッド部４２２は、相対的に広い幅を有し実質的に配線材１４２が付着される領域である。第１方向で測定されたパッド部４２２の幅は、ライン部４２１の幅及び第２方向で測定されたフィンガーライン４２ａの幅よりそれぞれ大きく、配線材１４２の幅と同じであるか、またはこれより大きいことができる。そして、第２方向で測定されたパッド部４２２の長さは、フィンガーライン４２ａの幅より大きくても良い。このようなパッド部４２２によって、配線材１４２とバスバー４２ｂとの付着力を向上し、接触抵抗を減らすことができる。
【００７０】
また、ライン部４２１は、複数のフィンガーライン４２ａ及びパッド部４２２を接続して、一部のフィンガーライン４２ａが断線する場合、キャリアが迂回できる経路を提供する。第１方向で測定されたライン部４２１の幅は、パッド部４２２及び配線材１４２の幅より小さく、第２方向で測定されたフィンガーライン４２ａの幅より小さいか、または同じくありうる。一例として、ライン部４２１の幅がフィンガーライン４２ａの幅の０．５倍ないし２倍でありうる。このようにライン部４２１を相対的に狭い幅で形成して、第１電極４２の面積を最小化することにより、シェーディング損失及び材料費用を低減できる。ライン部４２１には、配線材１４２が付着されることもでき、ライン部４２１に配線材１４２が付着されない状態で配線材１４２がライン部４２１上に置かれた状態でもありうる。
【００７１】
このとき、複数のパッド部４２２は、第２方向においてバスバー４２ｂの外側に位置する外側パッド４２４と、外側パッド４２４以外の内側パッド４２６を含む。ここで、外側パッド４２４は、複数のパッド部４２２のうち、第２方向から見るときに両側のエッジの各々に最も近接して位置する二つのパッドを意味し、内側パッド４２６は、二つの外側パッド４２４の間に位置したパッドを意味できる。ここで、外側／内側の基準は、複数のパッド部４２２のみを基準としたことであるから、図面とは異なり、ライン部４２１が外側パッド４２４の外側に位置しても良い。
【００７２】
一例として、第２方向で測定された外側パッド４２４の長さが内側パッド４２６の長さより短くありうる。 配線材１４２と外側パッド４２４との付着特性は、配線材１４２の内側パッド４２６との付着特性より低くありうるので、これを考慮して、配線材１４２との付着面積を外側パッド４２４において相対的に大きくしたことである。しかしながら、本発明がこれに限定されるものではない。
【００７３】
本実施の形態において、各配線材１４２に対応するバスバー４２ｂは、第２方向で複数のパッド部４２２の配置及び面積のうち、少なくとも一つが異なる複数の領域を含むことができる。特に、内側パッド４２６の配置及び面積のうち、少なくとも一つが異なる領域を含むことができる。すなわち、バスバー４２ｂは、少なくともパッド部４２２（特に、内側パッド４２６）の配置及び面積のうち、少なくとも一つが異なる第１領域Ａ１及び第２領域Ａ２を含むことができる。これは、太陽電池１５０の特定領域において配線材１４２の付着特性が低下するのを防止するためのことであり、これについては後にさらに詳しく説明する。
【００７４】
一例として、図５及び図６では、すべてのバスバー４２ｂが第１領域Ａ１及び第２領域Ａ２のみを具備し、すべてのバスバー４２ｂで内側パッド４２６及び／または第１及び第２領域Ａ１、Ａ２の配置が同じであることを示した。これによれば、すべてのバスバー４２ｂの付着特性を全体的に向上でき、内側パッド４２６の規則的な分布により、近接したパッド部４２２までの移動距離を最大限均一にできる。
【００７５】
しかしながら、本発明がこれに限定されるものではない。例えば、バスバー４２ｂに第１領域Ａ１及び第２領域Ａ２以外の他の配置または面積を有する領域を一つまたはそれ以上含むこともできる。または、少なくとも二つのバスバー４２ｂにおいて内側パッド４２６の配置及び／または面積が互いに異なることができる。例えば、バスバー４２ｂのうち、一部（一例として、少なくとも一つ）のバスバー４２ｂのみに配置または面積が異なる領域が位置でき、他のバスバー４２ｂでは、第２方向でのパッド部４２２（特に、内側パッド４２６）の配置及び面積が全体的に均一でありうる。または、少なくとも二つのバスバー４２ｂでパッド部４２２の配置または面積などが異なる領域を含むものの、パッド部４２２の配置及び／または面積が全く異なることができる。一例として、少なくとも二つのバスバー４２ｂで第１領域Ａ１と第２領域Ａ２の位置が互いに異なるか、及び／または第１及び第２領域Ａ１、Ａ２のうち、少なくとも一つに位置したパッド部の面積及び／または配置が互いに異なることができる。すなわち、本実施の形態では、バスバー４２ｂのうちの一つが第２方向で複数のパッド部４２２の配置及び面積のうち、少なくとも一つが異なる領域を具備すれば良い。
【００７６】
以下、一つのバスバー４２ｂに基づいて第２方向に位置する第１及び第２領域Ａ１、Ａ２を詳しく説明する。図６は、図５のＤ部分に配線材が付着された状態を示す部分平面図である。
【００７７】
図６を参照すると、上述のように、第１及び第２領域Ａ１、Ａ２では、内側パッド４２６の配置及び面積のうち、少なくとも一つが互いに異なる。第１領域Ａ１に位置した内側パッド４２６を第１パッド４２６ａ、第２領域Ａ２に位置した第２パッド４２６ｂと称してさらに詳しく説明する。
【００７８】
本明細書において、第１及び第２領域Ａ１、Ａ２の配置及び面積のうち、少なくとも一つが異なるとは、各第１領域Ａ１内の第１パッド４２６ａの数と第２領域Ａ２の第２パッド４２６ｂの数が互いに異なることを意味できる。または、各第１領域Ａ１内の第１パッド４２６ａ間の間隔と第２領域Ａ２内で第２パッド４２６ｂの間隔とが互いに異なることを意味できる。ここで、間隔とは、隣接した二つの内側パッド４２６で最も隣接したエッジ間の距離を意味する。または、各第１領域Ａ１内の各々の第１パッド４２６ａの面積と第２領域Ａ２内で各々の第２パッド４２６ｂの面積とが互いに異なることを意味できる。または、各第１領域Ａ１内の第１パッド４２６ａの配列形状と第２領域Ａ２の第２パッド４２６ｂの配列形状とが互いに異なることを意味できる。または、各第１領域Ａ１の面積に対する第１パッド４２６ａの面積割合（第１面積割合）と第２領域Ａ２の面積に対する第２パッド４２６ｂの面積割合（第２面積割合）とが互いに異なることを意味できる。ここで、第１面積割合は、第１領域Ａ１の面積に対する第１パッド４２６ａの全体面積を意味でき、第２面積割合は、第２領域Ａ２の面積は、第２パッド４２６ｂの全体面積を意味できる。第１領域Ａ１または第２領域Ａ２の面積は、一定の幅（一例として、パッド部４２２の幅）に第１領域Ａ１または第２領域Ａ２の長さを掛け算した値を意味する。第１パッド４２６ａの全体面積は、第１領域Ａ１内に位置したすべての第１パッド４２６ａの全体面積を意味し、第２パッド４２６ｂの全体面積は、第２領域Ａ２内に位置したすべての第２パッド４２６ｂの全体面積を意味する。
【００７９】
本実施の形態では、第１面積割合が第２面積割合より大きい。
【００８０】
ここで、第１領域Ａ１が第２方向での中間領域に位置し、第１領域Ａ１の両側のエッジ領域に第２領域Ａ２がそれぞれ位置できる。このとき、第１領域Ａ１の両側に位置した第２領域Ａ２が第１領域Ａ１に基づいて互いに対称の位置にありうる。
【００８１】
これは、配線材１４２の付着工程において熱が不均一に提供されて、一部領域で配線材１４２が曲がるか、または配線材１４２の付着特性が低下する部分が発生するのを防止するためである。これを、図７を参照してさらに詳しく説明する。図７は、図３に示す太陽電池と配線材とを付着する付着工程を簡略に示す平面図である。簡略かつ明確に図示するために、図７では、太陽電池１５０、配線材１４２及び熱源部２００のみを概略的に示した。
【００８２】
配線材１４２の付着工程では、配線材１４２と太陽電池１５０が加圧及び固定された状態で熱源部２００が熱を提供して、太陽電池１５０に配線材１４２を付着する。さらに具体的に、熱源部２００によって提供された熱によって配線材１４２のソルダー層（図３の参照符号１４２ｂ）が溶けてソルダリングされ、これによって配線材１４２が太陽電池１５０の電極（図３の参照符号４２、４４）に付着される。
【００８３】
一例として、熱源部２００としは、配線材１４２に光による熱（輻射熱）を提供する複数の光源部材２００ａを含むことができる。熱源部２００が光によって熱を加えることによって、付着工程の時間を低減し付着特性を向上させることができる。一例として、光源部材２００ａが赤外線ランプでありうる。しかしながら、本発明がこれに限定されるものではなく、熱源部２００には、熱を提供できる多様な構造、方式などが適用されることができる。そして、熱源部２００が複数の光源部材２００ａを含むと、複数の光源部材２００ａを個別的に制御できるから、全体的に光または熱分布を均一にすることができ、故障などの問題があるとき、該当光源部材２００ａだけを交替して安定して使用することができる。反面、本実施の形態とは異なり、熱源部が一つの光源部材で構成されると、各部分に対する個別的な制御が難しいから、配線材１４２の全体部分に均一に光または熱を提供するのは難しくなりうる。
【００８４】
このとき、熱源部２００の光源部材２００ａまたはこれに含まれた光源が線形形状を有することができる。これによれば、個別的な制御が可能であるが光源部材２００ａまたはこれに含まれた光源の数があまり多くならないようにすることができる。これに対し、光源部材２００ａまたはこれに含まれた光源が点光源であると、光源部材２００ａまたはこれに含まれた光源の数があまり多くなって、むしろ制御が難しくなり、故障などが発生する場合、探し難いという問題があることができる。そして、各光源部材２００ａは、配線材１４２の延長方向及び工程方向である第２方向と交差（一例として、直交）する方向に配置されて、すべての配線材１４２を横切って位置できる。すると、一部光源部材２００ａが故障して作動しない場合にも、太陽電池１５０の全体配線材１４２に他の光源部材２００ａが光を提供して配線材１４２を付着することができ、工程不良などを防止できるからである。反面、本実施の形態とは異なり、光源部材が配線材１４２に平行な方向に位置すると、一部の光源部材が作動しない場合に、一部配線材１４２には、光が提供されないから、該当配線材１４２が付着されない場合もある。
【００８５】
このような配線材１４２の付着工程において光源部材２００ａが複数備えられたことに対し、温度センサ（図示せず）は、太陽電池１５０の中央部分のみに一つ位置する。これにより、第２方向に位置した複数の光源部材２００ａにおいて太陽電池１５０及び配線材１４２に提供される熱が互いに変わることができるから、一部領域で配線材１４２が曲がるか、または配線材１４２の付着特性が低下する等の問題が発生できる。上述の構造では、第２方向の中間領域で配線材１４２が曲がる現象が大きく発生できるので、中間領域に相対的に大きな第１面積割合の第１領域Ａ１を配置してこれを防止したのである。そして、配線材１４２が曲がる現状の発生可能性が小さいエッジ領域では、相対的に小さな第２面積割合の第２領域Ａ２を配置して、パッド部４２２を形成するための材料量を低減して費用を低減できる。
【００８６】
すなわち、本実施の形態では、配線材１４２の付着工程での第２方向に応じる熱または温度差を考慮して、第１及び第２領域Ａ１、Ａ２を配置して、配線材１４２の付着特性を全体的に向上できる。
【００８７】
上述の例では、線形形状を有する光源部材２００ａまたは光源を使用する熱源部２００を例として説明したが、本発明がこれに限定されるものではない。熱風を提供する熱源部２００では、中間領域とエッジ領域から提供される熱またはこれに応じる温度差がより大きくありうる。したがって、このような場合にも、本実施の形態の太陽電池１５０が適用されることができる。その他にも、配線材１４２の付着工程において提供される熱または温度差が大きな場合に、本実施の形態の太陽電池１５０が適用されることができる。そして、熱または温度差の分布によって第１及び第２領域Ａ１、Ａ２の配置は、多様に変形されることができる。
【００８８】
また、図５及び図６を参照すると、例えば、第２方向において各第２領域Ａ２の長さに対する第１領域Ａ１の長さ割合が０．５ないし３倍でありうる。一例として、第２方向において各第２領域Ａ２の長さに対する第１領域Ａ１の長さ割合が１ないし２倍でありうる。このような範囲は、第１領域Ａ１による効果を具現しながらも、第２領域Ａ２によって電極材料費用を低減できるように設定されたことである。特に、第１領域Ａ１の長さを第２領域Ａ２の長さと同一またはそれより大きくした場合に、第１領域Ａ１による効果を最大化できる。
【００８９】
本実施の形態では、第１領域Ａ１で複数の第１パッド４２６ａが第１間隔Ｄ１を隔てて互いに離隔され、第２領域Ａ２で複数の第２パッド４２６ｂが第１間隔Ｄ１より大きな第２間隔Ｄ２を隔てて互いに離隔されることができる。 このように第１及び第２領域Ａ１、Ａ２において同じ大きさの第１及び第２パッド４２６ａ、４２６ｂをそれぞれ等間隔で位置させながら第１間隔Ｄ１を第２間隔Ｄ２より小さくして、第１面積割合を第２面積割合より大きくすることができる。
【００９０】
一例として、本実施の形態では、第１領域Ａ１内で複数の第１パッド４２６ａの第１ピッチＰ１が第２領域Ａ２内で複数の第２パッド４２６ｂの第２ピッチＰ２より小さくありうる。ここで、第１ピッチＰ１は、隣接した二つの第１パッド４２６ａの重心間の距離で、第２ピッチＰ２は、隣接した二つの第２パッド４２６ｂの重心間の距離である。このとき、第１パッド４２６ａと第２パッド４２６ｂとは、同じ幅及び長さＬ）を有し、同じ大きさ及び形状を有することができる。このように、第１及び第２パッド４２６ａ、４２６ｂの大きさ及び形状は、そのまま維持しながら、これらの間のピッチまたは間隔を互いに異なるようにすることによって、第１及び第２領域Ａ１、Ａ２が互いに区分されることができる。
【００９１】
しかしながら、本発明がこれに限定されるものではない。したがって、第１面積割合と第２面積割合、または第１パッド４２６ａの第１間隔Ｄ１と第２パッド４２６ｂの第２間隔Ｄ２は、その他の多様な方法によって互いに異なる値を有することができる。他の例を図８及び図９を参照して説明する。
【００９２】
図８は、本発明の一変形例にかかる太陽電池を示す部分平面図である。図８には、図６に対応する部分を示すものの、簡略かつ明確に図示するために、配線材の図示を省略した。
【００９３】
図８を参照すると、本変形例では、図６の実施の形態と同様に、複数の第１パッド４２６ａと複数の第２パッド４２６ｂが等間隔に配置される。このとき、第１領域Ａ１内で複数の第１パッド４２６ａ間の第１ピッチＰ１が第２領域Ａ２内で複数の第２パッド４２６ｂ間の第２ピッチＰ２と同一で、各々の第１パッド４２６ａの大きさが各々の第２パッド４２６ｂの大きさより大きい。すると、第１間隔Ｄ１を第２間隔Ｄ２より小さくすることができ、第１面積割合を第２面積割合より大きくすることができる。
【００９４】
このとき、第１パッド４２６ａの大きさを第２パッド４２６ｂの大きさより大きくするために、第２方向に応じる第１パッド４２６ａの第１長さＬ１を第２方向に応じる第２パッド４２６ｂの第２長さＬ２より長くすることができる。そして、第１方向で測定された第１パッド４２６ａの幅と第２パッド４２６ｂの幅とは、互いに同一でありうる。第１及び第２パッド４２６ａ、４２６ｂの長さは、配線材１４２が延びる第２方向に応じる長さであるから、長くなるほど、配線材１４２と強い付着力で付着されるパッド部４２２の面積を増加させることができる。これにより、第１及び第２パッド４２６ａ、４２６ｂの長さを増加させると、配線材１４２との付着特性を向上できる。これに対し、第１及び第２パッド４２６ａ、４２６ｂの幅は、配線材１４２が付着されうる程度であれば良く、それより大きな幅を有するとしても、配線材１４２の付着特性を向上するのに寄与できず、光損失を増加させることができる。このような理由で本実施の形態では、第１及び第２パッド４２６ａ、４２６ｂの第１及び第２長さＬ１、Ｌ２を互いに異なるようにしたのである。
【００９５】
図９は、本発明の他の変形例にかかる太陽電池を示す部分平面図である。図９には、図６に対応する部分を示すものの、簡略かつ明確に図示するために、配線材の図示を省略した。
【００９６】
図９を参照すると、本変形例では、第１パッド４２６ａが単一で備えられ、第２パッド４２６ｂが等間隔に配置される。このとき、第１領域Ａ１で単一の第１パッド４２６ａが第２方向に沿って長く延びて、相対的に大きな第１面積割合を有し、第２領域Ａ２に位置した複数の第２パッド４２６ｂが相対的に大きな第２面積割合を有することができる。ここで、第１パッド４２６ａの幅と第２パッド４２６ｂの幅とは、互いに同一でありうる。
【００９７】
上述の実施の形態及び変形例では、相対的に大きな第１面積割合を有する第１領域Ａ１が中間領域に位置し、相対的に小さな第２面積割合を有する第２領域Ａ２がエッジ領域に位置することを例示した。しかしながら、本発明がこれに限定されるものではない。これにより、相対的に大きな第１面積割合を有する第１領域Ａ１が外側パッド４２４に隣接してエッジ領域に位置することもできる。これを図１０を参照して、後に詳しく説明する。
【００９８】
上述の太陽電池１５０及びこれを含む太陽電池パネル１００では、薄い幅のバスバー４２ｂ及び／またはワイヤー形態の配線材１４２を使用して光損失を最小化でき、バスバー４２ｂ及び／または配線材１４２の数を増やしてキャリアの移動経路を減らすことができる。これによって、太陽電池１５０の効率及び太陽電池パネル１００の出力を向上できる。
【００９９】
このとき、付着工程での不均一な熱によって配線材１４２の変形が発生できる中間領域に高い第１面積割合を有する第１領域Ａ１を配置して、配線材１４２の変形を防止または最小化できる。これによって、上述の太陽電池１５０を含む太陽電池パネル１００の出力及び信頼性を向上できる。
【０１００】
しかしながら、本発明が第１及び第２領域Ａ１、Ａ２の配置、第１及び第２パッド４２６ａ、４２６ｂの配置などが上述したことに限定されるものではない。以下、多様な実施の形態を図１０ないし図１２を参照して説明する。
【０１０１】
図１０は、本発明の他の実施の形態にかかる太陽電池を示す部分平面図である。図１０には、図６に対応する部分を示すものの、簡略かつ明確に図示するために、配線材の図示を省略した。
【０１０２】
図１０を参照すると、本実施の形態では、相対的に大きな第１面積割合を有する第１領域Ａ１が外側パッド４２４に隣接してエッジ領域に位置し、残りの領域に第２領域Ａ２が位置して、第１領域Ａ１より外側パッド４２４から遠く離隔されて位置する。
【０１０３】
外側パッド４２４側からは、配線材（図４の参照符号１４２、以下、同一）が第１太陽電池（図４の参照符号１５１、以下、同一）の前面から第２太陽電池（図４の参照符号１５２、以下、同一）の後面までつながらなければならないので、他の部分より大きな屈曲を有するようになる。これにより、外側パッド４２４に隣接した部分において、第１及び第２太陽電池１５１、１５２から遠ざかる力が配線材１４２に加えられて、配線材１４２が外側パッド４２４から剥離できる。特に、本実施の形態のように、狭い幅を有し、ラウンド状部分を備える配線材１４２では、電極との付着面積が少ないから、このような問題がより大きく現れることができる。これを考慮して、本実施の形態では、外側パッド４２４に隣接した部分に相対的に大きな第１面積割合を有する第１領域Ａ１を位置させて、エッジ部分で配線材１４２と接触される内側パッド４２６の面積を最大化して付着特性を向上したのである。これによって、外側パッド４２４に隣接した部分から発生できる配線材１４２の剥離を効果的に防止できる。
【０１０４】
本実施の形態において、第２領域Ａ２が第２方向での中間領域に位置し、第２領域Ａ２の両側のエッジ領域に第１領域Ａ１がそれぞれ位置できる。このとき、第２領域Ａ２の両側に位置した第１領域Ａ１が第２領域Ａ２に基づいて互いに対称になるように位置できる。第１領域Ａ１は、外側パッド４２４に隣接した部分で配線材１４２の付着特性を向上することであるから、過度に長く形成されなくても良い。これにより、各第１領域Ａ１の長さは、第２領域Ａ２の長さより小さい場合もある。
【０１０５】
図１０では、第１パッド４２６ａと第２パッド４２６ｂが図６に示すような配置及び形状を有することを例示したが、本発明がこれに限定されるものではない。第１パッド４２６ａと第２パッド４２６ｂが図８及び図９に示すような配置及び形状を有することもできる。
【０１０６】
上述の実施の形態及び変形例では、第１領域Ａ１に位置した複数の第１パッド４２６ａ及び／または第２領域Ａ２に位置した複数の第２パッド４２６ｂが均一な間隔及び均一な大きさを有することを例示した。しかしながら、本発明がこれに限定されるものではない。他の実施の形態を図１１を参照して詳しく説明する。
【０１０７】
図１１は、本発明のさらに他の実施の形態にかかる太陽電池を示す部分平面図である。図１１には、図６に対応する部分を示すものの、簡略かつ明確に図示するために配線材の図示を省略した。
【０１０８】
図１１を参照すると、本実施の形態では、第２領域Ａ２には、第２パッド４２６ｂが互いに同じ間隔を隔てて規則的に位置する。このとき、複数の第２パッド４２６ｂが互いに同じ幅及び長さを有するから、同じ大きさを有することができる。
【０１０９】
これに対し、第１領域Ａ１には、複数の第１パッド４２６ａが不規則な間隔を有して位置するか、及び／または第１パッド４２６ａが互いに異なる大きさを有しながら位置する。図面では、第１パッド４２６ａが不規則な間隔を有しながら互いに異なる大きさを有することを例示した。第１パッド４２６ａが互いに異なる長さを有することによって、第１パッド４２６ａが互いに異なる大きさを有することができる。
【０１１０】
上述の実施の形態及び変形例では、第１領域Ａ１と第２領域Ａ２のみを備えることを例示した。しかしながら、本発明がこれに限定されるものではない。他の実施の形態を図１２を参照して詳しく説明する。
【０１１１】
図１２は、本発明のさらに他の実施の形態にかかる太陽電池を示す部分平面図である。図１２には、図６に対応する部分を示すものの、簡略かつ明確に図示するために、配線材の図示を省略した。
【０１１２】
図１２を参照すると、本実施の形態においてバスバー４２ｂは、第２方向で第１領域Ａ１、第２領域Ａ２及び第３領域Ａ３を具備できる。このとき、第３領域Ａ３は、第３パッド４２４ｃを含み、第３領域Ａ３の第３パッド４２４ｃは、第１及び第２領域Ａ１、Ａ２の第１及び第２パッド４２６ａ、４２６ｂと配置及び面積のうち、少なくとも一つが互いに異なることができる。
【０１１３】
一例として、第１及び第２領域Ａ１、Ａ２に対しては、図６の実施の形態において説明した第１及び第２領域Ａ１、Ａ２に対する説明がそのまま適用されることができる。そして、第３領域Ａ３内の第３パッド４２４ｃは、第１及び第２面積割合よりさらに大きな第３面積割合を有することができる。一例として、図面では、第３パッド４２４ｃの第３ピッチが第１及び第２パッド４２６ａ、４２６ｂの第１及び第２ピッチのそれぞれより小さいと示した。しかしながら、本発明がこれに限定されるものではなく、多様な方法によって第３面積割合を第１及び第２面積割合のそれぞれより小さくすることができる。
【０１１４】
図面では、第１領域Ａ１が中間領域に位置し、第３領域Ａ３が両側の外側パッド４２４のそれぞれに隣接した両側のエッジ領域にそれぞれ位置し、第２領域Ａ２が第１領域Ａ１と第３領域Ａ３の間に位置することを例示した。これによると、第１領域Ａ１によって配線材１４２が曲がる現象を最小化し、第３領域Ａ３で配線材１４２の付着特性を向上できる。しかしながら、本発明がこれに限定されるものではなく、第１ないし第３領域Ａ１、Ａ２、Ａ３の配置が多様に変形されることができる。
【０１１５】
また、図１２の第１ないし第３領域Ａ１、Ａ２、Ａ３のそれぞれとしては、図６、図８ないし図１１に示す第１及び第２領域Ａ１、Ａ２のうちのいずれか一つが適用されることができる。本明細書に記載されたすべての実施の形態及び変形例は、互いに結合されることができ、すべての結合に応じる実施の形態が本発明の範囲に属する。また、上述の実施の形態及び変形例では、第１及び第２領域Ａ１、Ａ２のうちのいずれか一つに基づいて、残りの一つを対称の位置にすることを示した。すると、電流の流れを安定的に具現化できる。しかしながら、本発明がこれに限定されるものではなく、内側パッドの配置及び面積のうち、少なくとも一つが互いに異なる領域に多様に配置されることができる。
【０１１６】
図１３は、本発明のさらに他の変形例にかかる太陽電池を示す前面平面図で、図１４は、図１３のＢ部分を拡大して示す部分平面図である。
【０１１７】
図１３及び図１４を参照すると、本実施の形態では、外側パッド４２４を含んだ複数のパッド部４２２が配置及び面積のうち、少なくとも一つが異なる第１領域Ａ１及び第２領域Ａ２を含む。このとき、第１領域Ａ１内に位置した内側パッド４２６及び外側パッド４２４が均一な大きさ及び間隔を有し、第２領域Ａ２内に位置した内側パッド４２６が均一な大きさ及び間隔を有することができる。本変形例では、一例として、外側パッド４２４が内側パッド４２６と同じ大きさを有することを示したが、本発明がこれに限定されるものではない。したがって、第２領域Ａ２内で外側パッド４２４と内側パッド４２６の間隔が均一であり、外側パッド４２４の大きさ（一例として、長さ）が内側パッド４２６の大きさ（一例として、長さ）より大きくても良い。
【０１１８】
図１３では、一例として第１電極領域ＥＡ１の幅が第２電極領域ＥＡ２の幅より大きいことを示した。そして、第１エッジ領域ＰＡ１の電極部４２ｄと第２エッジ領域ＰＡ２の電極部４２ｅが互いに対称形状を有することを示した。しかしながら、本発明がこれに限定されるものではない。
【０１１９】
図１５は、本発明のさらに他の実施の形態にかかる太陽電池の前面平面図で、図１６は、図１５のＣ部分に配線材が付着された状態を示す部分平面図である。
【０１２０】
図１５及び図１６を参照すると、本実施の形態では、ライン部４２１が、内側パッド４２６を少なくとも一つずつ備えるメインライン部４２１ａ及び広幅部４２１ｂを具備する。メインライン部４２１ａは、外側パッド４２４と離隔されてバスバー４２ｂの中間領域に位置できる。そして、広幅部４２１ｂが外側パッド４２４に隣接して位置できる。先に簡単に言及したように、外側パッド４２４が位置した部分では、配線材１４２の付着特性が低くなりうる。これをさらに詳しく説明する。
【０１２１】
本実施の形態のように、狭い幅を有する配線材１４２は、電極４２、４４との付着面積が小さいから、付着力が充分でない場合もある。さらに配線材１４２が円形、楕円形または曲線を有するラウンド状の断面を具備するようになると、配線材１４２と電極４２、４４との付着面積が小さいから、電極４２、４４との付着力が低下し、配線材１４２の厚さが大きくなって、太陽電池１５０または半導体基板１６０がさらに容易に曲がることができる。
【０１２２】
特に、第１太陽電池１５１と第２太陽電池１５２の間では、配線材１４２が第１太陽電池１５１の前面上から第２太陽電池１５２の後面上まで接続されなければならないが、この部分で配線材１４２が曲がることができる。すなわち、図４に示すように、配線材１４２の第１部分は、第１太陽電池１５１の第１電極４２上においてこれに付着（一例として、接触）された状態を維持し、配線材１４２の第２部分は、第２太陽電池１５２の第２電極４４上においてこれに付着（一例として、接触）された状態を維持するようになる。第１及び第２太陽電池１５１、１５２の間に位置した配線材１４２の第３部分は、上述の第１及び第２部分が曲がらないように接続しなければならない。これにより、第３部分には、第１及び第２太陽電池１５１、１５２のエッジ部分において膨らんだ弧状を有するよう曲がる部分が備えられる。このように、配線材１４２において膨らんだ弧状を有する部分に第１及び第２太陽電池１５１、１５２から遠ざかる方向に力が加えられる。これによって、第１及び第２太陽電池１５１、１５２のエッジ部分に位置した外側パッド４２４と配線材１４２との付着特性が内側パッド４２６と配線材１４２との付着特性より低い場合がある。
【０１２３】
これを補償するために、本実施の形態では、外側パッド４２４に隣接して広幅部４２１ｂをさらに形成したことである。すなわち、外側パッド４２４に隣接した部分に広幅部４２１ｂを形成して、配線材１４２と電極４２、４４との付着面積をさらに確保して、外側パッド４２４に隣接した部分において配線材１４２と電極４２、４４との付着特性を向上できる。
【０１２４】
すなわち、本実施の形態によれば、メインライン部４２１ａが全体的に小さな第１幅Ｗ１１を有するから、シェーディング損失及び電極材料費用を低減でき、外側パッド４２４に隣接し相対的に大きな第２幅Ｗ１２を有する広幅部４２１ｂによって、配線材１４２と電極４２、４４との付着特性を向上できる。
【０１２５】
このとき、メインライン部４２１ａは、広幅部４２１ｂの全体長（すなわち、すべての広幅部４２１ｂの長さの合計）より大きな長さを有してバスバー４２ｂにおいて最も大きな長さを有する部分であり、広幅部４２１ｂの長さは、メインライン部４２１ａの長さより小さい。相対的に長く形成されたメインライン部４２１ａによって、シェーディング損失及び電極材料費用を効果的に低減できる。広幅部４２１ｂは、外側パッド４２４に隣接した部分において付着特性のために部分的に形成されれば良い。
【０１２６】
一例として、広幅部４２１ｂは、半導体基板１６０のエッジ（図４の参照符号１６１、１６２）から一定間隔分だけ離隔された仮像基準線ＲＬと外側パッド４２４との間に位置できる。一例として、第２方向から見るとき、一つの外側パッド４２４の外側エッジから両側外側パッド４２４の外側エッジ間の長さＬ１０の０．２倍の長さ分だけ離隔された位置に仮像基準線ＲＬが位置できる。または、第２方向から見るとき、外側パッド４２４の外側エッジから３ｃｍ離隔された位置に仮像基準線ＲＬが位置できる。広幅部４２１ｂが上述の仮像基準線ＲＬを超えた領域に位置すると、付着特性を向上する効果は大きく増加させることができず、電極材料費用は増えることができる。しかしながら、本発明がこれに限定されるものではない。
【０１２７】
また、広幅部４２１ｂの長さＬ１１のそれぞれは、少なくとも外側パッド４２４とこれに隣接した内側パッド４２６との間の長さ、または二つの隣接した内側パッド４２６間の距離と同一であるか、またはこれより大きくありうる。これにより、内側パッド４２６が広幅部４２１ｂに少なくとも一つ位置できる。一例として、内側パッド４２６が広幅部４２１ｂに少なくとも二つ位置できる。または、広幅部４２１ｂの長さＬ１１が外側パッド４２４の長さＬ１２と同一であるか、またはそれより大きくありうる。これによれば、広幅部４２１ｂが一定水準以上の長さを有して広幅ライン部の形状を有することができるから、配線材１４２との付着面積を充分に確保することができる。
【０１２８】
本実施の形態で広幅部４２１ｂは、外側パッド４２４に接触して外側パッド４２４から延びてメインライン部４２１ａまで延びることができる。さらに具体的には、広幅部４２１ｂが両側に一つずつ位置した外側パッド４２４に接触して一つずつ形成され、二つの広幅部４２１ｂの間にメインライン部４２１ａが位置できる。すると、外側パッド４２４と離隔されたメインライン部４２１ａは、広幅部４２１ｂを介して外側パッド４２４に接続される。一例として、広幅部４２１ｂによって外側パッド４２４と広幅部４２１ｂに位置した少なくとも二つの内側パッド４２６をメインライン部４２１ａに連続的に接続させることができる。図面では、広幅部４２１ｂは、外側パッド４２４に接触して外側パッド４２４から延びて、二つの内側パッド４２６を経てメインライン部４２１ａまで連続的に形成されたことを示した。これによれば、広幅部４２１ｂの長さＬ１１を充分に確保して、広幅部４２１ｂによる効果を最大化できる。しかしながら、本発明がこれに限定されるものではない。したがって、図１７に示すように、広幅部４２１ｂに一つの内側パッド４２６のみが位置して、広幅部４２１ｂが外側パッド４２４と内側パッド４２６との間のみを接続することもできる。または、広幅部４２１ｂに三個以上の内側パッド４２６が位置することもできる。または、広幅部４２１ｂの長さＬ１１が外側パッド４２４の長さＬ１２と同一またはそれより短くありうる。
【０１２９】
メインライン部４２１ａにも内側パッド４２６が少なくても一つ位置する。このとき、メインライン部４２１ａが広幅部４２１ｂより長い長さを有し、内側パッド４２６が一定の間隔を隔てて位置するので、メインライン部４２１ａに位置した内側パッド４２６の数が広幅部４２１ｂに位置した内側パッド４２６の数より多くありうる。しかしながら、本発明がこれに限定されるものではなく、メインライン部４２１ａ及び広幅部４２１ｂに位置した内側パッド４２６の数は、多様な値を有することができる。
【０１３０】
本実施の形態において、広幅部４２１ｂが全体的にメインライン部４２１ａの第１幅Ｗ１１より大きく、外側パッド４２４の幅より小さな第２幅Ｗ１２を有することを示した。すなわち、広幅部４２１ｂが均一な第２幅Ｗ１２を有することができる。すると、外側パッド４２４に隣接した部分での付着特性を均一に向上でき、広幅部４２１ｂを容易かつ安定的に製造できる。このとき、メインライン部４２１ａの第１幅Ｗ１１に対した広幅部４２１ｂの第２幅Ｗ１２の割合Ｗ１２／Ｗ１１が２倍ないし５倍でありうる。前記割合が２倍以下であると、広幅部４２１ｂによる効果が十分でないことができ、５倍を超過すると、電極材料費用が増加できる。
【０１３１】
一例として、外側パッド４２４の幅に対する広幅部４２１ｂの第２幅Ｗ１２の割合が０．０３ないし０．５でありうる。このような割合は、シェーディング損失及び材料費用を最小化しながら広幅部４２１ｂによる付着面積を考慮したことであるが、本発明がこれに限定されるものではない。したがって、外側パッド４２４の幅に対する広幅部４２１ｂの第２幅Ｗ１２の割合が０．０３未満であるか、または０．５を超過できる。
【０１３２】
上述の太陽電池１５０及びこれを含む太陽電池パネル１００では、薄い幅のバスバー４２ｂ及び／またはワイヤー形態の配線材１４２を使用して光損失を最小化でき、バスバー４２ｂ及び／または配線材１４２の数を増やしてキャリアの移動経路を減らすことができる。これによって、太陽電池１５０の効率及び太陽電池パネル１００の出力を向上できる。
【０１３３】
このとき、外側パッド４２４に隣接した部分のライン部４２１に広幅を有する広幅部４２１ｂを形成して、外側パッド４２４に隣接した部分から発生できる配線材１４２の付着特性の低下を補償できる。これによって、全体的に配線材１４２が均一で、優れた付着特性を有することができるので、上述の太陽電池１５０を含む太陽電池パネル１００の出力及び信頼性を向上できる。
【０１３４】
図１８は、本発明のさらに他の実施の形態にかかる太陽電池を示す部分平面図である。図１８には、図１６に対応する部分を示すものの、簡略かつ明確に図示するために、配線材の図示を省略した。
【０１３５】
図１８を参照すると、本実施の形態では、広幅部４２１ｂがメインライン部４２１ａから外側パッド４２４に向かいながら幅が漸進的に大きくなる形状を有する。このように、外側パッド４２４に向かいながら広幅部４２１ｂの幅を漸進的に大きくして、付着特性が低下できる外側パッド４２４の付近において広い幅を有するようにすることができる。これによって、広幅部４２１ｂの面積は大きく増加させないながらも、外側パッド４２４付近での付着特性の低下を効果的に補償できる。
【０１３６】
図面では、外側パッド４２４に向かいながら広幅部４２１ｂの幅が漸進的に大きくなることを例示したが、本発明がこれに限定されるものではない。したがって、外側パッド４２４に向かいながら広幅部４２１ｂの幅が減るか、広幅部４２１ｂの幅が増えてから減るか、広幅部４２１ｂの幅が減ってから増える等、多様に配置されることができる。
【０１３７】
図１９は、本発明のさらに他の実施の形態にかかる太陽電池を示す部分平面図である。図１９には、図１６に対応する部分を示すものの、簡略かつ明確に図示するために、配線材の図示を省略した。
【０１３８】
図１９を参照すると、本実施の形態では、広幅部４２１ｂがメインライン部４２１ａから外側パッド４２４に向かいながら幅が段階的に大きくなる形状を有する。すなわち、広幅部４２１ｂにおいてメインライン部４２１ａに隣接した部分の幅Ｗ１２より外側パッド４２４に隣接した部分の幅Ｗ１３がより大きい場合がある。このように、外側パッド４２４に向かいながら広幅部４２１ｂの幅を段階的に大きくして付着特性が低下できる外側パッド４２４の付近で広い幅を有するようにすることができる。これによって、広幅部４２１ｂの面積は、大きく増加させないながらも、外側パッド４２４付近での付着特性の低下を効果的に補償できる。
【０１３９】
図面では、広幅部４２１ｂが互いに異なる幅を有する二つの部分からなることを示したが、本発明がこれに限定されるものではない。したがって、広幅部４２１ｂが互いに異なる幅を有する少なくとも三個の部分からなり、三個の部分が外側パッド４２４に向かいながら段階的に幅が大きくなるように配置されることができる。しかしながら、本発明がこれに限定されるものではない。したがって、広幅部４２１ｂが互いに異なる幅を有する少なくとも二つの部分で構成され、外側パッド４２４に向かいながら幅が減るか、幅が増えてから減るか、幅が減ってから増える等、多様に配置されることができる。
【０１４０】
図２０は、本発明のさらに他の実施の形態にかかる太陽電池を示す部分平面図である。図２０には、図１６に対応する部分を示すものの、簡略かつ明確に図示するために、配線材の図示を省略した。
【０１４１】
図２０を参照すると、本実施の形態では、広幅部４２１ｂが外側パッド４２４と仮像基準線ＲＬとの間に位置するものの、外側パッド４２４と離隔されたことを例示した。このとき、外側パッド４２４と広幅部４２１ｂとの間には、これらを接続するメインライン部４２１ａが位置できる。すなわち、広幅部４２１ｂは、外側パッド４２４と仮像基準線ＲＬとの間に位置すれば良く、外側パッド４２４と接触しないことも可能である。その他の多様な変形が可能である。広幅部４２１ｂの長さ（広幅部４２１ｂ）の一側端部と他側端部との間の距離）Ｌ１１は、少なくとも外側パッド４２４とこれに隣接した内側パッド４２６との間の長さまたは二つの隣接した内側パッド４２６間の距離と同一、またはこれより大きくありうる。または、広幅部４２１ｂの長さＬ１１が外側パッド４２４の長さＬ１２と同一またはそれより大きくありうる。しかしながら、本発明がこれに限定されるものではない。
【０１４２】
図面及び上述の説明では、第１電極４２に基づいて図示及び説明した。これと同様に、第２電極４４も内側パッド及び外側パッドを備える複数のパッド部を具備し、メインライン部と広幅部を含むライン部を具備できる。第２電極４４の内側パッド、外側パッド、複数のパッド部、メインライン部、広幅部及びライン部に対する説明は、第１電極４２の内側パッド４２６、外側パッド４２４、複数のパッド部４２２、メインライン部４２１ａ、広幅部４２１ｂ及びライン部４２１についての説明がそのまま適用されることができる。この場合に、第１電極４２の広幅部４２１ｂの位置、幅、形状などは、第２電極４４の広幅部の位置、幅、形状などと同一または互いに異なることができる。
【０１４３】
また、図面及び上述の説明では、複数のバスバー４２ｂが上述のように互いに同じ形状を有することを例示した。これによって、すべてのバスバー４２ｂで広幅部４２１ｂが形成され、広幅部４２１ｂを均一な幅及び長さに形成し均一に配置して、広幅部４２１ｂによった効果を最大化でき、太陽電池１５０の安定性を向上できる。しかしながら、本発明がこれに限定されるものではない。したがって、一部（例えば、少なくとも一つ）バスバー４２ｂにおいてのみ広幅部４２１ｂが形成され、残りのバスバー４２ｂには、広幅部４２１ｂが形成されなくても良い。そして、複数のバスバー４２ｂにおいて広幅部４２１ｂの幅、長さ及び位置が互いに異なっても良い。また、図面及び上述の説明では、バスバー４２ｂの両側の広幅部４２１ｂが対称形状を有する。しかしながら、本発明がこれに限定されるものではなく、バスバー４２ｂの一側のみに広幅部４２１ｂが形成されても良く、バスバー４２ｂの両側に位置する広幅部４２１ｂの幅、長さ及び位置が互いに異なっても良い。
【０１４４】
図２１は、本発明のさらに他の実施の形態にかかる太陽電池１５０の前面平面図である。図２２の（ａ）は、図２１のＤ部分に配線材１４２が付着された状態を示す部分前面平面図で、図２２の（ｂ）は、図２１のＤ部分に配線材１４２が付着された状態を示す部分後面平面図である。そして、図２３は、図２１のＸ-Ｘ線に沿った太陽電池１５０の断面図である。簡略かつ明確に図示するために、図２３では、半導体基板１６０及びパッド部４２２、４４２のみを示した。
【０１４５】
図２１ないし図２３を参照すると、本実施の形態において半導体基板１６０の一面側に位置する第１電極４２は、第１方向（図面の横方向）に伸び、互いに平行に位置する複数の第１フィンガーライン４２ａと、第１フィンガーライン４２ａと交差（一例として、直交）する第２方向（図面の縦方向）に形成されて、第１フィンガーライン４２ａに電気的に接続され、配線材１４２が接続または付着される第１バスバー４２ｂを含む。図面では、第１電極４２が第１フレームライン４２ｃ、第１電極部４２ｄ、４２ｅがさらに含んだことを例示した。
【０１４６】
これと同様に、本実施の形態において半導体基板１６０の他面側に位置する第２電極４４は、第１バスバー４２ｂに対応する位置で第２方向へ位置する第２バスバー４４ｂを含み、第２フィンガーライン４４ａ及び／または第１電極４２の第１フレームラインに対応する第２フレームライン（図示せず）、及び／または第１電極４２の第１電極部４２ｄ、４２ｅに対応する第２電極部（図示せず）をさらに含むことができる。第２電極４４は、第２バスバー４４ｂを具備すれば良く、第２フィンガーライン４４ａ、第２フレームライン及び第２電極部を具備しなくても良い。
【０１４７】
ここで、第１バスバー４２ｂは、各配線材１４２に対応するように第２方向に位置する複数の第１パッド部４２２を含む。そして、第１バスバー４２ｂは、それぞれ配線材１４２が接続する方向に沿って第１パッド部４２２より狭い幅を有しながら第１パッド部４２２の間から長くつながる第１ライン部４２１をさらに含むことができる。このとき、複数の第１パッド部４２２は、第２方向で第１バスバー４２ｂの外側に位置する第１外側パッド４２４と、第１外側パッド４２４以外の第１内側パッド４２６を含む。ここで、第１外側パッド４２４は、複数の第１パッド部４２２のうち、第２方向から見るとき、太陽電池１５０（または半導体基板１６０）の第１及び第２エッジ１６１、１６２のそれぞれに最も近接して位置する第１の一端外側パッド４２４ａ及び第１の他端外側パッド４２４ｂを意味でき、第１内側パッド４２６は、二つの第１外側パッド４２４の間に位置したパッドを意味できる。ここで、外側／内側の基準は、複数の第１パッド部４２２だけを基準としたことである。
【０１４８】
第２バスバー４４ｂは、第２外側パッド４４４及び第２内側パッド４４６を含む複数の第２パッド部４４２を含み、第２外側パッド４４４は、太陽電池１５０の第１及び第２エッジ１６１、１６２のそれぞれに最も近接して位置する第２の一端外側パッド４４４ａ及び第２の他端外側パッド４４４ｂを含むことができる。そして、第２バスバー４４ｂは、第２ライン部４４１をさらに含むことができる。
【０１４９】
第２フィンガーライン４４ａ、第２バスバー４４ｂ（すなわち、第２の一端外側パッド４４４ａ及び第２の他端外側パッド４４４ｂを含む第２外側パッド４４４と第２内側パッド４４６を含む第２パッド部４４２、また第２ライン部４４１、第２フレームライン及び第２電極部に対しては、第１フィンガーライン４２ａ、第１バスバー４２ｂ（すなわち、第１の一端外側パッド４２４ａ及び第１の他端外側パッド４２４ｂを含む第１外側パッド４２４と第１内側パッド４２６を含む第１パッド部４２２、また第１ライン部４２１、第１フレームライン４２ｃ及び第１電極部４２ｄ、４２ｅに対する説明がそのまま適用されることができる。
【０１５０】
第１バスバー４２ｂと第２バスバー４４ｂは、互いに同じ数で形成されることができる。第１及び第２フィンガーライン４２ａ、４４ａが同じ幅、ピッチ及び数を有することができる。しかしながら、本発明がこれに限定されるものではなく、第１フィンガーライン４２ａと第２フィンガーライン４４ａとは、幅、ピッチ及び数のうち、少なくとも一つが互いに異なることができる。
【０１５１】
このとき、本実施の形態では、一対のバスバー４４０（すなわち、互いに対応する第１バスバー４２ｂ及び第２バスバー４４ｂで、同じ半導体基板１６０のエッジ（すなわち、第１または第２エッジ１６１、１６２）に隣接して、互いに対応する第１及び第２外側パッド４２４、４４４が互いに異なる位置に位置する。一例として、第２方向で半導体基板１６０の第１または第２エッジ１６１、１６２付近に位置した第１及び第２外側パッド４２４、４４４の外側エッジ（ＯＬ１１，ＯＬ１２）（ＯＬ２１，ＯＬ２２）が互いに異なる位置に位置する。
【０１５２】
第１及び第２外側パッド４２４、４４４は、半導体基板１６０のエッジ付近に位置して、配線材１４２が実質的に付着される最後の部分であって、第１及び第２外側パッド４２４、４４４の外側エッジ（ＯＬ１１，ＯＬ１２）（ＯＬ２１，ＯＬ２２）は、実質的に配線材１４２と第１及び第２バスバー４２ｂ、４４ｂが付着された部分と付着されない部分の境界部を構成するようになる。これにより、第１及び第２外側パッド４２４、４４４の外側エッジ（ＯＬ１１，ＯＬ１２）（ＯＬ２１，ＯＬ２２）に基づいて、配線材１４２の付着有無が変わるので、該当部分において熱ストレスが発生できる。このような熱ストレスは、配線材１４２の接合工程、温度循環試験（ＴＣ、ｔｈｅｒｍａｌ  ｃｙｃｌｉｎｇ  ｔｅｓｔ）または太陽電池パネル１００の使用時の温度変化により発生できる。特に、第１及び第２外側パッド４２４、４４４の付近では、配線材１４２が他の太陽電池１５０との接続のために曲がる部分が存在するが、これによって配線材１４２を他の太陽電池１５０から遠ざかるようにする力が加えられる部分であるから、熱ストレスによる問題がより大きく現れることができる。
【０１５３】
これを考慮して、本実施の形態では、第１及び第２外側パッド４２４、４４４の位置、さらに具体的には、第１及び第２外側パッド４２４、４４４の外側エッジ（ＯＬ１１，ＯＬ１２）（ＯＬ２１，ＯＬ２２）の位置を互いに異なるようにして境界部を分散させることによって、熱ストレスを低減及び分散できる。特に、本実施の形態のように、狭い幅を有する配線材１４２を適用する場合に、配線材１４２が相対的に多い数で備えられるので、第１方向に位置する第１及び第２外側パッド４２４、４４４の数が増えるので、熱ストレス集中が深化することができる。したがって、狭い幅を有する配線材１４２が使用される構造において第１及び第２外側パッド４２４、４４４の位置を異なるようにすると、熱ストレスを低減する効果をさらに倍加できる。参照として、従来に使用されていた広い幅のバスバー電極には、リボン付着時にフラックスの位置を調節してバスバー電極とリボンの位置を調節できたが、本実施の形態のように狭い幅を有し、ラウンド状の部分を備える配線材１４２が適用されると、付着面積が小さいので、フラックスの位置を調節することでは、配線材１４２と第１及び第２外側パッド４２４、４４４の位置を調節することが難しくありうる。
【０１５４】
これに対し、本実施の形態とは異なり、互いに対応する位置に位置する第１及び第２外側パッドを同じ位置に形成して、第１及び第２外側パッドと配線材が同じ境界部を有するようになると、第１及び第２外側パッド付近で熱ストレスが大きく集中して、太陽電池にひび割れなどが発生して太陽電池パネルの信頼性を低下させることができる。
【０１５５】
上述のように、第１外側パッド４２４は、第１の一端外側パッド４２４ａ及び第１の他端外側パッド４２４ｂを具備し、第２外側パッド４４４は、第２の一端外側パッド４４４ａ及び第２の他端外側パッド４４４ｂを具備する。このとき、半導体基板１６０の第１エッジ１６１に隣接した第１の一端外側パッド４２４ａの外側エッジＯＬ１１と第２の一端外側パッド４４４ａの外側エッジＯＬ２１とが互いに異なる位置に位置することもでき、及び／または半導体基板１６０の第２エッジ１６２に隣接した第１の他端外側パッド４２４ｂの外側エッジＯＬ１２と第２の他端外側パッド４４４ｂの外側エッジＯＬ２２とが互いに異なる位置に位置できる。本実施の形態では、一例として、第１の一端及び他端外側パッド４２４ａ、４４４ａの外側エッジＯＬ１１、ＯＬ１２のそれぞれが第２の一端及び他端外側パッド４２４ｂ、４４４ｂの外側エッジＯＬ２１，ＯＬ２２のそれぞれと異なる位置に位置することを例示した。すると、一対のバスバー４４０を構成する第１及び第２バスバー４２ｂ、４４ｂの両側において配線材１４２の付着位置を互いに異なるようにすることができ、熱ストレスを低減及び分散する効果を最大化できる。
【０１５６】
本実施の形態では、第１の一端外側パッド４２４ａと第２の一端外側パッド４４４ａ、及び第１の他端外側パッド４２４ｂと第２の他端外側パッド４４４ｂとが互いに対称になるように位置できる。これにより、第１の一端外側パッド４２４ａと第２の一端外側パッド４４４ａとの関係と、第１の他端外側パッド４２４ｂと第２の他端外側パッド４４４ｂとの関係が互いに同一なので、以下では、第１外側パッド４２４及び第２外側パッド４４４で共に説明する。したがって、反対になる記載がある場合、または第１の一端外側パッド４２４ａ、第２の一端外側パッド４４４ａ、第１の他端外側パッド４２４ｂ、第２の他端外側パッド４４４ｂなどが明示された場合を除いては、以下の第１外側パッド４２４及び第２外側パッド４４４の説明は、第１の一端外側パッド４２４ａ及び第２の一端外側パッド４４４ａ、及び第１の他端外側パッド４２４ｂ及び第２の他端外側パッド４４４ｂにそのまま適用されることができる。
【０１５７】
さらに具体的に、隣接した二つの太陽電池１５０の電気的接続のためには、第１方向では、太陽電池１５０または半導体基板１６０の両面のそれぞれに位置する配線材１４２は、互いに同じ位置に位置しなければならない。これにより、半導体基板１６０の両面にそれぞれ位置する第１及び第２外側パッド４２４、４４４は、第１方向では、互いに同じ位置に重心線を有し、一例として、第１方向で同じ位置に位置できる。反面、第２方向では、半導体基板１６０の両面にそれぞれ位置する第１及び第２外側パッド４２４、４４４の外側エッジ（ＯＬ１１，ＯＬ１２）（ＯＬ２１，ＯＬ２２）が互いに異なる位置に位置する。
【０１５８】
ここで、本実施の形態では、第２方向で第１及び第２外側パッド４２４、４４４のそれぞれが互いに重ならない非重畳部ＮＯＰ１、ＮＯＰ２を有することができる。これによれば、配線材１４２と付着される第１外側パッド４２４の位置と配線材１４２と付着される第２外側パッド４４４の位置とが非重畳部ＮＯＰ１、ＮＯＰ２に該当する分だけ互いに変わるようになるから、熱ストレスを低減及び分散できる。
【０１５９】
一例として、本実施の形態では、第２方向において第１外側パッド４２４と第２外側パッド４４４とが一部重なって重畳部ＯＰを形成し、第１外側パッド４２４の一端部側に第１非重畳部ＮＯＰ１が備えられ、第２外側パッド４４４の他端部側に第２非重畳部ＮＯＰ２が備えられる。第２方向において第１外側パッド４２４と第２外側パッド４４４が実質的に同じ長さを有するので、第１非重畳部ＮＯＰ１と第２非重畳部ＮＯＰ２は、重畳部ＯＰを間に隔てて互いに対称になるように位置できる。ここで、実質的に同じ長さとは、第１外側パッド４２４の長さと第２外側パッド４４４の長さとの差が第１または第２外側パッド４４４の長さの１０％以内であることを意味できる。このように、第１外側パッド４２４と第２外側パッド４４４とが実質的に同じ長さを有すると、太陽電池１５０の両面で配線材１４２と第１及び第２外側パッド４２４、４４４の付着特性を均一にできる。しかしながら、本発明がこれに限定されるものではなく、上述の第１外側パッド４２４の長さと第２外側パッド４２４の長さとが互いに異なることもできる。
【０１６０】
このとき、互いに対応する第１外側パッド４２４の外側エッジＯＬ１１、ＯＬ１２と第２外側パッド４４４の外側エッジＯＬ２１，ＯＬ２２との間の距離Ｄ１１、Ｄ１２が０．５ｍｍないし１５ｍｍでありうる。例えば、第１の一端外側パッド４２４ａの外側エッジＯＬ１１と第２の一端外側パッド４４４ａの外側エッジＯＬ２１との間の第１距離Ｄ１１が０．５ｍｍないし１５ｍｍでありえ、第１の他端外側パッド４２４ｂの外側エッジＯＬ１２と第２の他端外側パッド４４４ａの外側エッジＯＬ２２との間の第２距離Ｄ１２が０．５ｍｍないし１５ｍｍでありうる。上述の距離Ｄ１１、Ｄ１２が０．５ｍｍ未満であると、熱ストレスを分散及び低減する効果が充分でないことができる。上述の距離Ｄ１１、Ｄ１２が１５ｍｍを超過すると、第１及び第２バスバー４２ｂ、４４ｂのうち一つでは、配線材１４２が付着される長さが減って、キャリアが配線材１４２に円滑に到達するのが難しくありうる。これと同様に、互いに対応する第１外側パッド４２４の内側エッジと第２外側パッド４４４の内側エッジとの間の距離も０．５ｍｍないし１５ｍｍでありうる。しかしながら、本発明がこれに限定されるものではない。
【０１６１】
本実施の形態では、第２方向から見るとき、太陽電池１５０の前面に位置した第１外側パッド４２４が太陽電池１５０の後面に位置した第２外側パッド４４４より内側に位置する。ここで、内側に位置するとは、隣接した導体基板１６０との第１または第２エッジ１６１、１６２からの距離が大きいことを意味する。参照として、半導体基板１６０の前面では、第１エッジ１６１付近に配線材１４２の端部が位置し、第２エッジ１６２から配線材１４２が他の太陽電池に延びる。そして、半導体基板１６０の後面では、第１エッジ１６１から配線材１４２が他の太陽電池に延び、第２エッジ１６２付近で配線材１４２の端部が位置する。
【０１６２】
さらに具体的に、第２方向で第１の一端外側パッド４２４ａが第２の一端外側パッド４４４ａより内側に位置し、第２方向で第１の他端外側パッド４２４ｂが第２の他端外側パッド４４４ｂより内側に位置できる。
【０１６３】
光が入射され、ｐｎ接合が位置できる半導体基板１６０の前面側から配線材１４２の端部が位置する第１の一端外側パッド４２４ａから配線材１４２が剥離すると、キャリアの損失による問題が大きくなることができる。これを考慮して、第１の一端外側パッド４２４ａを半導体基板１６０の第１エッジ１６１から一定の距離分だけ離隔して位置させたことである。このとき、第２の一端外側パッド４４４ａを第１の一端外側パッド４２４ａより内側に位置させると、第２の一端外側パッド４４４ａが半導体基板１６０の第１エッジ１６１から過度に離隔されてキャリアを収集できない領域が発生できるので、第２の一端外側パッド４４４ａは、第１の一端外側パッド４２４ａより外側に位置させたことである。そして、配線材１４２が他の太陽電池１５０に接続する方向に位置する第１の他端外側パッド４２４ｂは、太陽電池１５０から遠ざかる方向に配線材１４２に加えられる力を減らすために、第２の他端外側パッド４４４ｂより内側に位置させる。
【０１６４】
一例として、第１の一端外側パッド４２４ａと第１の他端外側パッド４２４ｂが太陽電池１５０の重心線（第２方向での重心線）に基づいて対称になるように位置し、第２の一端外側パッド４４４ａと第２の他端外側パッド４４４ｂが太陽電池１５０の重心線（第２方向での重心線）に基づいて対称になるように位置できる。これによって、電流の流れを安定的に具現でき、従来の対称構造に使用した装置などをそのまま使用することができる。
【０１６５】
本実施の形態において、第１内側パッド４２６と第２内側パッド４４６とは、互いに重なる位置に位置できる。一例として、第１及び第２方向で複数の第１内側パッド４２６と複数の第２内側パッド４４６の重心線が互いに一致することができ、一例として、複数の第１内側パッド４２６と複数の第２内側パッド４４６が同じ位置において同じ形状を有しながら位置できる。第１及び第２内側パッド４２６、４４６は、配線材１４２との境界部に位置しないので、同じ位置に位置しても熱ストレスが大きく問題にならないためである。そして、第１及び第２内側パッド４２６、４４６を重なる位置に位置すると、キャリアの移動経路を均一化できる。しかしながら、第２方向で第１内側パッド４２６と第２内側パッド４４６とが互いに重ならない位置に位置することもでき、これもまた本発明の範囲に属する。
【０１６６】
本実施の形態では、半導体基板１６０または太陽電池１５０の反対側に位置する一対のバスバー４４０が第１方向で互いに離隔されて複数備えられるが、複数備えられた一対のバスバー４４０が互いに同じ形状を有することを例示した。これにより、すべての一対のバスバー４４０で第１外側パッド４２４と第２外側パッド４２６の配置が互いに同一である。これによって、すべての一対のバスバー４４０に位置したすべての第１外側パッド４２４及び第２外側パッド４４４の位置を互いに異なるようにして、熱ストレスを効果的に低減及び分散できる。しかしながら、本発明がこれに限定されるものではない。他の例を図２８を参照してさらに詳しく後述する。
【０１６７】
上述の太陽電池１５０及びこれを含む太陽電池パネル１００では、薄い幅のバスバー４２ｂ及び／またはワイヤー形態の配線材１４２を使用して光損失を最小化でき、バスバー４２ｂ及び／または配線材１４２の数を増やして、キャリアの移動経路を減らすことができる。これによって、太陽電池１５０の効率及び太陽電池パネル１００の出力を向上できる。
【０１６８】
このとき、太陽電池１５０の両側面で互いに対応または隣接した位置に位置する第１及び第２外側パッド４２４、４４４の位置を互いに異なるようにして、配線材１４２との境界部を分散させることによって、熱ストレスを低減及び分散できる。特に、本実施の形態のように、配線材１４２が多く使用される構造では、熱ストレスを低減及び分散する効果をさらに倍加できる。これによって、熱ストレスによる太陽電池１５０のひび割れを防止し、太陽電池パネル１００の信頼性を向上できる。
【０１６９】
図２２では、前面及び後面において第１及び第２エッジ領域に位置した電極部が同様に形成されたことを例示した。しかしながら、本発明がこれに限定されるものではなく、配線材の延長方向を考慮して前面で第１エッジ領域に位置した電極部が後面で第２エッジ領域に位置し、前面で第２エッジ領域に位置した電極部が後面で第１エッジ領域に位置できる。その他の多様な変形が可能である。
【０１７０】
図２４は、本発明のさらに他の実施の形態にかかる太陽電池を示す概略的な断面図である。簡略かつ明確に図示するために、図２４では、半導体基板及びパッド部のみを示した。
【０１７１】
図２４を参照すると、本実施の形態では、第１及び第２外側パッド４２４、４４４が重ならないから、第１外側パッド４２４が全体的に第１非重畳部ＮＯＰ１から構成され、第２外側パッド４４４が全体的に第２非重畳部ＮＯＰ２から構成される。これによれば、第１及び第２外側パッド４２４、４４４が全く重ならない互いに異なる位置に位置して、熱ストレスを効果的に低減及び分散できる。
【０１７２】
図２５は、本発明のさらに他の実施の形態にかかる太陽電池を示す概略的な断面図である。簡略かつ明確に図示するために、図２５では、半導体基板及びパッド部のみを示した。
【０１７３】
図２５を参照すると、本実施の形態では、第１の一端外側パッド４２４ａが第２の一端外側パッド４４４ａより内側に位置し、第１の他端外側パッド４２４ｂが第２の他端外側パッド４４４ｂより外側に位置できる。第２の一端外側パッド４４４ａ及び第１の他端外側パッド４２４ｂは、配線材１４２が他の太陽電池１５０に接続する部分に位置して、配線材１４２に加えられる力が大きな部分である。これを考慮して、第２の一端外側パッド４４４ａ及び第１の他端外側パッド４２４ｂをそれぞれ第１の一端外側パッド４２４ａ及び第２の他端外側パッド４４４ｂより内側に位置させて、配線材１４２に加えられる力を最小化したことである。これによって、第１の一端及び他端外側パッド４２４ａ、４２４ｂは、第２の一端及び他端外側パッド４４４ａ、４４４ｂのそれぞれに対して第２方向から片方へ偏って位置した形状を有することができる。
【０１７４】
図２５では、第１外側パッド４２４と第２外側パッド４４４とが互いに離隔されたことを例示したが、図２３のように、第１外側パッド４２４と第２外側パッド４４４の一部が互いに重なることもできる。また、図面と反対に、第１の一端外側パッド４２４ａが第２の一端外側パッド４４４ａより内側に位置し、第１の他端外側パッド４２４ｂが第２の他端外側パッド４４４ｂより外側に位置できる。
【０１７５】
図２６は、本発明のさらに他の実施の形態にかかる太陽電池を示す概略的な断面図である。簡略かつ明確に図示するために、図２６では、半導体基板及びパッド部のみを示した。
【０１７６】
図２６を参照すると、本実施の形態では、第２方向で第１の一端外側パッド４２４ａと第２の一端外側パッド４４４ａとが互いに異なる位置に位置し、第１の他端外側パッド４２４ｂと第２の他端外側パッド４４４ｂとが互いに同じ位置（一例として、同じ外側エッジを有しながら位置）できる。
【０１７７】
図面では、第１の一端外側パッド４２４ａと第２の一端外側パッド４４４ａとが図２３に示すような配置を有すると例示したが、本発明がこれに限定されるものではない。したがって、第１の一端外側パッド４２４ａと第２の一端外側パッド４４４ａとが図２４及び図２５に示すような配置を有することができる。そして、図面において第１の一端外側パッド４２４ａと第２の一端外側パッド４４４ａとが互いに異なる位置に位置したことを例示したが、本発明がこれに限定されるものではない。したがって、第１の一端外側パッド４２４ａと第２の一端外側パッド４４４ａとが互いに同じ位置に位置し、第１の他端外側パッド４２４ｂと第２の他端外側パッド４４４ｂとが互いに異なる位置に位置することもできる。
【０１７８】
図２７は、本発明のさらに他の実施の形態にかかる太陽電池を示す概略的な断面図である。簡略かつ明確に図示するために、図２７では、半導体基板及びパッド部のみを示した。
【０１７９】
図２７を参照すると、第１の一端外側パッド４２４ａと第２の一端外側パッド４４４ａが互いに異なる位置に位置し、第１の他端外側パッド４２４ｂと第２の他端外側パッド４４４ｂが互いに異なる位置に位置するものの、第１及び第２の一端外側パッド４２４ａ、４４４ａと第１及び第２の他端外側パッド４２４ｂ、４４４ｂの配置関係が互いに異なる。ここで、配置関係が互いに異なることは、第１及び第２の一端外側パッド４２４ａ、４４４ａと第１及び第２の他端外側パッド４２４ｂ、４４４ｂの長さが互いに異なるか、または重畳部及び／または非重畳部の長さが互いに異なるなどを全部含むことができる。
【０１８０】
図２８は、本発明のさらに他の実施の形態にかかる太陽電池の前面平面図である。
【０１８１】
本実施の形態では、半導体基板１６０または太陽電池１５０に一対のバスバー（図２２の参照符号４４０、以下、同一）が複数備えられるとき、一対のバスバー４４０とその他の一対のバスバー４４０において複数の第１パッド部４２２及び複数の第２パッド部４４４の配置が互いに異なることができる。すなわち、一対のバスバー４４０とその他の一対のバスバー４４０において第１外側パッド４２４及び第２外側パッド４４４の配置が互いに異なることができ、及び／または一対のバスバー４４０とその他の一対のバスバー４４０において第１内側パッド４２６及び第２内側パッド４４６の配置が互いに異なることができる。
【０１８２】
また、複数の第１バスバー４２ｂでの第１外側パッド４２４の配置が互いに異なることができ、及び／または複数の第２バスバー４４ｂでの第１外側パッド４４４の配置が互いに異なることができる。図２８では、一例として、第１バスバー４２ｂのうち、一部の第１外側パッド４２４が内側に位置し、第１バスバー４２ｂのうち、他の一部の第１外側パッド４２４が外側に位置したことを例示した。しかしながら、本発明がこれに限定されるものではない。これと同様に、複数の第１バスバー４２ｂにおいて第１内側パッド４２６の配置が互いに異なることができ、及び／または複数の第２バスバー４４ｂにおいて第２内側パッド４４６の配置が互いに異なることができる。
【０１８３】
すなわち、複数の第１バスバー４２ｂ及び複数の第２バスバー４４ｂにおいて第１及び第２外側パッド４２４、４４４及び／または第１及び第２内側パッド４２６、４４６の配置が互いに変わることができ、これにより、複数配置された一対のバスバー４４０において第１及び第２外側パッド４２４、４４４及び／または第１及び第２内側パッド４２６、４４６の配置が互いに変わることができる。
【０１８４】
図１５ないし図２８では、複数のパッド部４２２が均一な配置を有することを例示したが、本発明がこれに限定されるものではない。したがって、図１ないし図１４において説明したように、複数のパッド部４２２が互いに異なる配置及び面積を有するバスバー４２ｂが図１５ないし図２８に適用されることができ、これもまた、本発明の範囲に属する。そして、図１５ないし図２０において説明したように、メインライン部４２１ａ及び広幅部４２１ｂを有するライン部４２１が図１ないし図１２、及び図２１ないし図２８のライン部４２１に適用されることができ、これもまた、本発明の範囲に属する。      
【実施例】
【０１８５】
以下、本発明の実験例によって本発明をさらに詳しく説明する。しかしながら、本発明の実験例は、本発明を例示するためのものに過ぎず、本発明がこれに限定されるものではない。
【０１８６】
〔第１の実施の形態〕
図１５に示すような電極構造を有する太陽電池を複数製造した。このとき、半導体基板は、ｎ型を有する単結晶シリコン基板をベース領域とし、第１導電型領域がｐ型を有し第２導電型領域がｎ型を有するドーピング領域から構成された。このとき、バスバーのライン部がメインライン部と、外側パッドから延びて、二つの内側パッドを介してメインライン部に接続する広幅部とを具備した。このような太陽電池を配線材を利用して電気的に接続して、太陽電池パネルを製造した。
【０１８７】
〔第２の実施の形態〕
バスバーのライン部がメインライン部と、外側パッドから延びて一つの内側パッドを介してメインライン部に接続する広幅部とを具備するという点を除いては、実施例１と同じ方法によって太陽電池パネルを製造した。
【０１８８】
第１の実施の形態１及び第２の実施の形態にかかる太陽電池パネルに温度循環試験を行った後に、電力降下（ｐｏｗｅｒ  ｄｒｏｐ）率を測定して、その結果を図２９に示した。図２９を参照すると、第１の実施の形態１及び第２の実施の形態にかかる太陽電池パネルは、温度循環試験を複数回行っても電力降下率が大きく低下しないから、５％以内の優れた電力降下率を有することが分かる。特に、ライン部をさらに長く形成した第１の実施の形態の電力降下率が第２の実施の形態の電力降下率より小さいことが分かる。
【０１８９】
これにより、苛酷な条件の温度循環試験でも配線材の付着特性がほとんど低下しないことが分かる。
【０１９０】
上述の特徴、構造、効果などは、本発明の少なくとも一つの実施の形態に含まれ、必ず一つの実施の形態のみに限定されるものではない。なお、各実施の形態において例示される特徴、構造、効果などは、実施の形態が属する分野における通常の知識を有する者によって、他の実施の形態に対しても組み合わせまたは変形されて実施可能である。したがって、このような組み合わせと変形に関係した内容は、本発明の範囲に含まれると解析されねばならない。
【図１】
2018056563.tif 000003
【図２】
2018056563.tif 000004
【図３】
2018056563.tif 000005
【図４】
2018056563.tif 000006
【図５】
2018056563.tif 000007
【図６】
2018056563.tif 000008
【図７】
2018056563.tif 000009
【図８】
2018056563.tif 000010
【図９】
2018056563.tif 000011
【図１０】
2018056563.tif 000012
【図１１】
2018056563.tif 000013
【図１２】
2018056563.tif 000014
【図１３】
2018056563.tif 000015
【図１４】
2018056563.tif 000016
【図１５】
2018056563.tif 000017
【図１６】
2018056563.tif 000018
【図１７】
2018056563.tif 000019
【図１８】
2018056563.tif 000020
【図１９】
2018056563.tif 000021
【図２０】
2018056563.tif 000022
【図２１】
2018056563.tif 000023
【図２２】
2018056563.tif 000024
【図２３】
2018056563.tif 000025
【図２４】
2018056563.tif 000026
【図２５】
2018056563.tif 000027
【図２６】
2018056563.tif 000028
【図２７】
2018056563.tif 000029
【図２８】
2018056563.tif 000030
【図２９】
2018056563.tif 000031